(57)【特許請求の範囲】
【請求項１】
可変分散補償器を有するネットワーク側光送受信部を複数備える複数のノード装置が、リンクによって接続され、前記ノード装置は前記ネットワーク側光送受信部ごとに前記可変分散補償器を備え、前記ノード装置として自装置が備える前記可変分散補償器の分散補償能力が少なくとも２種類の分散補償能力であるノード装置を含む光ネットワークにおいて、
前記ノード装置は、
自装置が備えるネットワーク側光送受信部と対応付けて前記ネットワーク側送受信部が備える可変分散補償器の分散補償能力を保持するとともに広告し、また、自装置が収容するリンクごとの分散値を保持するとともに広告するプロトコル処理部と、
自装置が光パスの起点となる場合に、自装置が収容するリンクごとの分散値と他のノード装置から受信した前記分散値とに基づいて光パスの分散値を算出し、自装置が備えるネットワーク側光送受信部の分散補償能力と算出した分散量とに基づいてネットワーク側光送受信部を選択し、他のノード装置から受信した前記分散補償能力と算出した分散量とに基づいて当該パスの終点ノードのネットワーク側光送受信部を選択する経路選択部と、
自装置が光パスの起点となる場合、自装置のネットワーク側光送受信部として選択された自装置のネットワーク側光送受信部を光パスに用いることを設定し、自装置以外の起点ノードから送信された光パスの設定を要求する光パス設定要求に基づいて自装置が光パスの終点ノードとなる場合、当該光パスの設定時に起点ノードより通知されたネットワーク側光送受信部を光パスに用いることを設定する制御部と、
を備え、
前記プロトコル処理部は、光パスの起点となる場合、光パスの設定時に前記終点送受信部として選択されたネットワーク側光送受信部を当該パスの終点ノードへ通知する、
ことを特徴とする光ネットワーク。
【請求項２】
前記ノード装置は、
各リンクに対応付けて、当該リンクの端点となるノード装置を識別するためのノード番号と、当該リンクのコスト、未使用帯域、および分散量とが登録されるリンク情報テーブルと、
前記光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルと、
をさらに備え、
前記経路選択部は、光パス設定要求によって光パスの起点ノード装置となる場合、前記リンク情報テーブルに基づいて、少なくとも１つのリンクからなる光パスを選択し、選択した光パスの分散量を算出し、自装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部と、前記光パスの終点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部とを選択し、選択した光パス、選択した自装置のネットワーク側光送受信部のネットワーク側光送受信部番号、当該光パスの終点となるノード装置のノード番号および選択した終点となるノード装置のネットワーク側光送受信部を示すネットワーク側光送受信部番号を含む選択結果を出力し、
前記プロトコル処理部は、自装置が収容するリンクに対応付けて、当該リンクの端点となるノード装置を識別するためのノード番号、当該リンクのコスト、未使用帯域、および分散量を含むリンク情報と、自装置のノード番号、当該ノード番号が示すノード装置のネットワーク側光送受信部を識別するためのネットワーク側光送受信部番号、および当該ネットワーク側光送受信部番号が示すネットワーク側光送受信部が有する可変分散補償器の分散補償能力を含む分散補償能力情報を他のノード装置に広告するとともに、前記選択結果を受けた場合には、前記選択結果に基づいて光パスの終点となるノード装置に対して選択した終点となるノード装置のネットワーク側光送受信部を示すネットワーク側光送受信部番号を含む光パス設定要求を通知し、他のノード装置から広告されたリンク情報を受信した場合には受信したリンク情報を前記リンク情報テーブルに登録し、他のノード装置から広告された分散補償能力情報を受信した場合には受信した分散補償能力情報に基づいてノード番号およびネットワーク側光送受信部番号と当該ネットワーク側光送受信部が有する可変分散補償器の分散補償能力との対応を前記分散補償情報テーブルに登録する、
ことを特徴とする請求項１に記載の光ネットワーク。
【請求項３】
前記プロトコル処理部は、
自装置のリンク情報テーブルが更新された場合にリンク情報を広告し、自装置の分散補償能力情報テーブルが更新された場合に分散補償能力情報を広告すること、
を特徴とする請求項１または２に記載の光ネットワーク。
【請求項４】
前記経路選択部は、
選択した自装置のネットワーク側光送受信部が有する可変分散補償器および選択した前記終点となるノード装置のネットワーク側光送受信部が有する可変分散補償器の設定パラメータを算出し、
前記プロトコル処理部は、
前記経路選択部が算出した設定パラメータを含めた光パス設定要求を通知し、
前記制御部は、
自装置が起点となるノード装置の場合には、前記経路選択部が選択した自装置のネットワーク側光送受信部が有する可変分散補償器に前記経路部が算出した設定パラメータを設定し、自装置が終点となるノード装置の場合には、受信した光パス設定要求に基づいて選択されたネットワーク側光受信部が有する可変分散補償器に設定パラメータを設定すること、
を特徴とする請求項１、２または３に記載の光ネットワーク。
【請求項５】
前記プロトコル処理部は、
前記リンク情報、分散補償能力情報をルーティングプロトコルに基づいて広告し、また光パス設定要求を光パスを設定するシグナリングプロトコルに基づいて通知することを特徴とする請求項１〜４の何れか一つに記載の光ネットワーク。
【請求項６】
前記プロトコル処理部は、
自装置が備える可変分散補償器の分散補償能力の波長範囲、最小の波長間隔、当該可変分散補償器の設定に要する時間の少なくとも１つをさらに含めた分散補償能力情報を広告し、他のノード装置から当該ノード装置が備える可変分散補償器の分散補償能力の波長範囲、最小の波長間隔、当該可変分散補償器の設定に要する時間の少なくとも１つをさらに含めた分散補償能力情報を受信した場合には、受信した分散補償能力情報に含まれる可変分散補償器の分散補償能力の波長範囲、最小の波長間隔、当該可変分散補償器の設定に要する時間を前記分散補償能力情報テーブルに登録し、
前記経路選択部は、
可変分散補償器の分散補償能力の波長範囲、最小の波長間隔、当該可変分散補償器の設定に要する時間を含めて起点および終点のノード装置のネットワーク側光送受信部を選択すること、
を特徴とする請求項１〜５の何れか一つに記載の光ネットワーク。
【請求項７】
前記プロトコル処理部は、
リンクの高次分散または偏波分散に起因するリンク毎の劣化量と、当該リンクの劣化量に対して自装置が有する可変分散補償器の分散補償能力を表すパラメータとをさらに含めたリンク情報を広告し、他のノード装置からリンクの高次分散または偏波分散に起因するリンク毎の劣化量と、当該リンクの劣化量に対して当該ノード装置が有する可変分散補償器の分散補償能力を表すパラメータとを含むリンク情報を受信した場合には、受信したリンク情報に含まれるリンクの高次分散または偏波分散に起因するリンク毎の劣化量と、当該リンクの劣化量に対して当該ノード装置が有する可変分散補償器の分散補償能力を表すパラメータとを前記リンク情報テーブルに登録し、
前記経路選択部は、
リンクの高次分散または偏波分散に起因するリンク毎の劣化量と、当該リンクの劣化量に対して当該ノード装置が有する可変分散補償器の分散補償能力を含めて起点および終点のノード装置のネットワーク側光送受信部を選択すること、
を特徴とする請求項１〜６の何れか１つに記載の光ネットワーク。
【請求項８】
可変分散補償器を有するネットワーク側光送受信部を複数備える複数のノード装置と、これら複数のノード装置を統括的に管理する経路計算サーバとを備え、複数のノード装置はリンクによって接続されるとともに、前記経路サーバと制御プレーンによって接続され、前記ノード装置は前記ネットワーク側光送受信部ごとに前記可変分散補償器を備え、前記ノード装置として自装置が備える前記可変分散補償器の分散補償能力が少なくとも２種類の分散補償能力であるノード装置を含む光ネットワークにおいて、
前記ノード装置は、
自装置が備えるネットワーク側光送受信部と対応付けて前記ネットワーク側送受信部が備える可変分散補償器の分散補償能力を広告し、また、自装置が収容するリンクごとの分散値を広告するプロトコル処理部と、
光パス設定要求を受けると、光パス設定通知を制御プレーンを介して起点および終点となるノード装置のノード番号を含む光パス設定通知を前記経路計算サーバに送信し、前記経路計算サーバから選択結果を受信した場合には受信した選択結果に基づいて、自装置のネットワーク側光送受信部を光パスに用いることを設定し、自装置以外の起点ノードから送信された光パスの設定を要求する光パス設定要求に基づいて自装置が光パスの終点ノードとなる場合、当該光パスの設定時に起点ノードより通知されたネットワーク側光送受信部を光パスに用いることを設定する制御部と、
を備え、
前記プロトコル処理部は、前記経路計算サーバから選択結果を受信した場合には、前記選択結果に基づいて光パスの終点ノードに対して選択された終点ノードのネットワーク側光送受信部を当該パスの終点ノードへ通知し、
前記経路計算サーバは、
光パスを選択し、前記ノード装置から受信した前記分散値に基づいて選択した光パスの分散値を算出し、当該光パスの起点ノードから受信した前記分散補償能力と算出した分散量とに基づいて起点ノードのネットワーク側光送受信部を選択し、当該光パスの終点ノードから受信した前記分散補償能力と算出した分散量とに基づいて終点ノードのネットワーク側光送受信部を選択し、選択した光パス、選択した起点ノード装置のネットワーク側光送受信部、当該光パスの終点ノード装置のノード番号および終点ノード装置の選択したネットワーク側光送受信部を含む選択結果を起点ノードへ送信する経路選択部、
を備える、
ことを特徴とする光ネットワーク。
【請求項９】
前記ノード装置は、
各リンクに対応付けて、当該リンクの端点となるノード装置を識別するためのノード番号と、当該リンクのコスト、未使用帯域、および分散量とが登録されるリンク情報テーブルと、
前記光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルと、
をさらに備え、
前記制御部は、光パス設定要求を受けると、光パス設定通知を制御プレーンを介して起点および終点となるノード装置のノード番号を含む光パス設定通知を前記経路計算サーバに送信するとともに、前記経路計算サーバから選択結果を受信した場合には受信した選択結果に基づいて、自装置のネットワーク側光送受信部を光パスに用いることを設定するとともに、前記リンク情報テーブルおよび分散補償能力情報テーブルを更新し、他のノード装置が通知する光パス設定要求を受けた際に、自装置が終点ノードである場合には受信した光パス設定要求に含まれるネットワーク側光送受信部番号が示すネットワーク側光送受信部を光パスに用いることを設定し、
前記プロトコル処理部は、自装置が収容するリンクに対応付けて、当該リンクの端点となるノード装置を識別するためのノード番号、当該リンクのコスト、未使用帯域、および分散量を含むリンク情報と、自装置のノード番号、当該ノード番号が示すノード装置のネットワーク側光送受信部を識別するためのネットワーク側光送受信部番号、および当該ネットワーク側光送受信部番号が示すネットワーク側光送受信部が有する可変分散補償器の分散補償能力を含む分散補償能力情報を他のノード装置および前記経路選択サーバに広告するとともに、前記選択結果を受けた場合には、前記選択結果に基づいて光パスの終点となるノード装置に対して選択した終点となるノード装置のネットワーク側光送受信部を示すネットワーク側光送受信部番号を含む光パス設定要求を通知し、他のノード装置から広告されたリンク情報を受信した場合には受信したリンク情報を前記リンク情報テーブルに登録し、他のノード装置から広告された分散補償能力情報を受信した場合には受信した分散補償能力情報に基づいてノード番号およびネットワーク側光送受信部番号と当該ネットワーク側光送受信部が有する可変分散補償器の分散補償能力との対応を前記分散補償情報テーブルに登録し、
前記経路計算サーバは、
各リンクに対応付けて、当該リンクの端点となるノード装置を識別するためのノード番号と、当該リンクのコスト、未使用帯域、および分散量とが登録されるリンク情報テーブルと、
前記光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルと、
各ノード装置から広告されたリンク情報を受信した場合には受信したリンク情報を自装置のリンク情報テーブルに登録し、各ノード装置から広告された分散補償能力情報を受信した場合には受信した分散補償能力情報に基づいてノード番号およびネットワーク側光送受信部番号と当該ネットワーク側光送受信部が有する可変分散補償器の分散補償能力との対応を自装置の分散補償情報テーブルに登録するプロトコル処理部と、
をさらに備え、
前記経路選択部は、前記光パス設定通知を受信すると、自装置内のリンク情報テーブルに基づいて、少なくとも１つのリンクからなる光パスを選択し、選択した光パスの分散量を算出し、起点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部と、前記光パスの終点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部とを選択し、選択した光パス、選択した起点となるノード装置のネットワーク側光送受信部のネットワーク側光送受信部番号、当該光パスの終点となるノード装置のノード番号および選択した終点となるノード装置のネットワーク側光送受信部を示すネットワーク側光送受信部番号を含む選択結果を起点となるノード装置に送信する、
ことを特徴とする請求項８に記載の光ネットワーク。
【請求項１０】
前記ノード装置のプロトコル処理部は、
自装置のリンク情報テーブルが更新された場合にリンク情報を広告し、自装置の分散補償能力情報テーブルが更新された場合に分散補償能力情報を広告すること、
を特徴とする請求項８または９に記載の光ネットワーク。
【請求項１１】
前記経路計算サーバの経路選択部は、
選択した起点となるノード装置のネットワーク側光送受信部が有する可変分散補償器および選択した終点となるノード装置のネットワーク側光送受信部が有する可変分散補償器の設定パラメータを算出し、算出した設定パラメータを含む選択結果を起点となるノード装置に送信し、
前記起点となるノード装置のプロトコル処理部は、
前記選択結果に含まれる設定パラメータを含めた光パス設定要求通知をし、
前記起点となるノード装置の制御部は、
前記選択結果に含まれる起点となるノード装置のネットワーク側光送受信部が有する可変分散補償器の設定パラメータを、選択された自装置のネットワーク側光送受信部が有する可変分散補償器に設定し、他のノード装置から受信した光パス設定要求を受信した際に、自装置が終点となるノード装置の場合には、受信した光パス設定要求に基づいて選択されたネットワーク側光受信部が有する可変分散補償器に設定パラメータを設定すること、
を特徴とする請求項８、９または１０に記載の光ネットワーク。
【請求項１２】
前記ノード装置のプロトコル処理部は、
前記リンク情報、分散補償能力情報をルーティングプロトコルに基づいて広告し、また光パス設定要求を光パスを設定するシグナリングプロトコルに基づいて通知することを特徴とする請求項８〜１１の何れか一つに記載の光ネットワーク。
【請求項１３】
前記ノード装置のプロトコル処理部は、
リンクの高次分散または偏波分散に起因するリンク毎の劣化量と、当該リンクの劣化量に対して自装置が有する可変分散補償器の分散補償能力を表すパラメータとをさらに含めたリンク情報を広告し、他のノード装置からリンクの高次分散または偏波分散に起因するリンク毎の劣化量と、当該リンクの劣化量に対して当該ノード装置が有する可変分散補償器の分散補償能力を表すパラメータとを含むリンク情報を受信した場合には、受信したリンク情報に含まれるリンクの高次分散または偏波分散に起因するリンク毎の劣化量と、当該リンクの劣化量に対して当該ノード装置が有する可変分散補償器の分散補償能力を表すパラメータとを自装置のリンク情報テーブルに登録し、
前記経路計算サーバのプロトコル処理部は、
各ノード装置からリンクの高次分散または偏波分散に起因するリンク毎の劣化量と、当該リンクの劣化量に対して当該ノード装置が有する可変分散補償器の分散補償能力を表すパラメータとを含むリンク情報を受信した場合には、受信したリンク情報に含まれるリンクの高次分散または偏波分散に起因するリンク毎の劣化量と、当該リンクの劣化量に対して当該ノード装置が有する可変分散補償器の分散補償能力を表すパラメータとを自装置のリンク情報テーブルに登録し、
前記経路計算サーバの経路選択部は、
リンクの高次分散または偏波分散に起因するリンク毎の劣化量と、当該リンクの劣化量に対して当該ノード装置が有する可変分散補償器の分散補償能力を含めて起点および終点のノード装置のネットワーク側光送受信部を選択すること、
を特徴とする請求項８〜１２の何れか１つに記載の光ネットワーク。
【請求項１４】
前記ノード装置のプロトコル処理部は、
リンクの高次分散または偏波分散に起因するリンク毎の劣化量と、当該リンクの劣化量に対して自装置が有する可変分散補償器の分散補償能力を表すパラメータとをさらに含めたリンク情報を広告し、他のノード装置からリンクの高次分散または偏波分散に起因するリンク毎の劣化量と、当該リンクの劣化量に対して当該ノード装置が有する可変分散補償器の分散補償能力を表すパラメータとを含むリンク情報を受信した場合には、受信したリンク情報に含まれるリンクの高次分散または偏波分散に起因するリンク毎の劣化量と、当該リンクの劣化量に対して当該ノード装置が有する可変分散補償器の分散補償能力を表すパラメータとを自装置のリンク情報テーブルに登録し、
前記経路計算サーバのプロトコル処理部は、
各ノード装置からリンクの高次分散または偏波分散に起因するリンク毎の劣化量と、当該リンクの劣化量に対して当該ノード装置が有する可変分散補償器の分散補償能力を表すパラメータとを含むリンク情報を受信した場合には、受信したリンク情報に含まれるリンクの高次分散または偏波分散に起因するリンク毎の劣化量と、当該リンクの劣化量に対して当該ノード装置が有する可変分散補償器の分散補償能力を表すパラメータとを自装置のリンク情報テーブルに登録し、
前記経路計算サーバの経路選択部は、
リンクの高次分散または偏波分散に起因するリンク毎の劣化量と、当該リンクの劣化量に対して当該ノード装置が有する可変分散補償器の分散補償能力を含めて起点および終点のノード装置のネットワーク側光送受信部を選択すること、
を特徴とする請求項８〜１３の何れか１つに記載の光ネットワーク。
【請求項１５】
分散補償能力が固定の固定分散補償器と、
自装置が収容するリンクの分散量から前記固定分散補償器によって相殺されるリンクの分散量を差し引いたリンクの分散量を算出し、算出したリンクの分散量を含むリンク情報を広告するプロトコル処理部と、
を備える固定分散補償ノード装置、
をさらに備えることを特徴とする請求項１〜１４の何れか１つに記載の光ネットワーク。
【請求項１６】
光ネットワークに適用されるノード装置であって、
前記光ネットワークにおいてリンクによって他のノード装置と接続され、
可変分散補償器を有する複数のネットワーク側光送受信部と、
自装置が備えるネットワーク側光送受信部と対応付けて前記ネットワーク側送受信部が備える可変分散補償器の分散補償能力を保持するとともに広告し、また、自装置が収容するリンクごとの分散値を保持するとともに広告するプロトコル処理部と、
自装置が光パスの起点となる場合に、自装置が収容するリンクごとの分散値と他のノード装置から受信した前記分散値とに基づいて光パスの分散値を算出し、自装置が備えるネットワーク側光送受信部の分散補償能力と算出した分散量とに基づいてネットワーク側光送受信部を選択し、他のノード装置から受信した前記分散補償能力と算出した分散量とに基づいて当該パスの終点ノードのネットワーク側光送受信部を選択する経路選択部と、
自装置が光パスの起点となる場合、自装置のネットワーク側光送受信部として選択された自装置のネットワーク側光送受信部を光パスに用いることを設定し、自装置以外の起点ノードから送信された光パスの設定を要求する光パス設定要求に基づいて自装置が光パスの終点ノードとなる場合、当該光パスの設定時に起点ノードより通知されたネットワーク側光送受信部を光パスに用いることを設定する制御部と、
を備え、
前記ネットワーク側光送受信部ごとに前記可変分散補償器を備え、自装置が備える前記可変分散補償器の分散補償能力が少なくとも２種類の分散補償能力であり、
前記プロトコル処理部は、光パスの起点となる場合、光パスの設定時に前記終点送受信部として選択されたネットワーク側光送受信部を当該パスの終点ノードへ通知する、
ことを特徴とするノード装置。
【請求項１７】
各リンクに対応付けて、当該リンクの端点となるノード装置を識別するためのノード番号と、当該リンクのコスト、未使用帯域、および分散量とが登録されるリンク情報テーブルと、
前記光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルと、
をさらに備え、
前記経路選択部は、光パス設定要求によって光パスの起点ノード装置となる場合、前記リンク情報テーブルに基づいて、少なくとも１つのリンクからなる光パスを選択し、選択した光パスの分散量を算出し、自装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部と、前記光パスの終点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部とを選択し、選択した光パス、選択した自装置のネットワーク側光送受信部のネットワーク側光送受信部番号、当該光パスの終点となるノード装置のノード番号および選択した終点となるノード装置のネットワーク側光送受信部を示すネットワーク側光送受信部番号を含む選択結果を出力し、
前記プロトコル処理部は、自装置が収容するリンクに対応付けて、当該リンクの端点となるノード装置を識別するためのノード番号、当該リンクのコスト、未使用帯域、および分散量を含むリンク情報と、自装置のノード番号、当該ノード番号が示すノード装置のネットワーク側光送受信部を識別するためのネットワーク側光送受信部番号、および当該ネットワーク側光送受信部番号が示すネットワーク側光送受信部が有する可変分散補償器の分散補償能力を含む分散補償能力情報を他のノード装置に広告するとともに、前記選択結果を受けた場合には、前記選択結果に基づいて光パスの終点となるノード装置に対して選択した終点となるノード装置のネットワーク側光送受信部を示すネットワーク側光送受信部番号を含む光パス設定要求を通知し、他のノード装置から広告されたリンク情報を受信した場合には受信したリンク情報を前記リンク情報テーブルに登録し、他のノード装置から広告された分散補償能力情報を受信した場合には受信した分散補償能力情報に基づいてノード番号およびネットワーク側光送受信部番号と当該ネットワーク側光送受信部が有する可変分散補償器の分散補償能力との対応を前記分散補償情報テーブルに登録する、
ことを特徴とする請求項１６に記載のノード装置。
【請求項１８】
光ネットワークに適用されるノード装置であって、
前記光ネットワークにおいてリンクによって他のノード装置と接続されるとともに制御プレーンによって経路計算サーバに接続され、
可変分散補償器を有する複数のネットワーク側光送受信部と、
自装置が備えるネットワーク側光送受信部と対応付けて前記ネットワーク側送受信部が備える可変分散補償器の分散補償能力を広告し、また、自装置が収容するリンクごとの分散値を広告するプロトコル処理部と、
光パス設定要求を受けると、光パス設定通知を制御プレーンを介して起点および終点となるノード装置のノード番号を含む光パス設定通知を前記経路計算サーバに送信し、前記経路計算サーバから起点ノードへ送信された光パスと当該光パスの起点のードおよび終点ノードの光ネットワーク送受信部との選択結果を受信した場合には、受信した選択結果に基づいて自装置のネットワーク側光送受信部を光パスに用いることを設定し、自装置以外の起点ノードから送信された光パスの設定を要求する光パス設定要求に基づいて自装置が光パスの終点ノードとなる場合、当該光パスの設定時に起点ノードより通知されたネットワーク側光送受信部を光パスに用いることを設定する制御部と、
を備え、
前記ネットワーク側光送受信部ごとに前記可変分散補償器を備え、自装置が備える前記可変分散補償器の分散補償能力が少なくとも２種類の分散補償能力である、
ことを特徴とするノード装置。
【請求項１９】
前記光ネットワークにおいてリンクによって他のノード装置と接続されるとともに制御プレーンによって経路計算サーバに接続され、
各リンクに対応付けて、当該リンクの端点となるノード装置を識別するためのノード番号と、当該リンクのコスト、未使用帯域、および分散量とが登録されるリンク情報テーブルと、
をさらに備え、
前記制御部は、光パス設定要求を受けると、光パス設定通知を制御プレーンを介して起点および終点となるノード装置のノード番号を含む光パス設定通知を前記経路計算サーバに送信するとともに、前記経路計算サーバから選択結果を受信した場合には受信した選択結果に基づいて、自装置のネットワーク側光送受信部を光パスに用いることを設定するとともに、前記リンク情報テーブルおよび分散補償能力情報テーブルを更新し、他のノード装置が通知する光パス設定要求を受けた際に、自装置が終点ノードである場合には受信した光パス設定要求に含まれるネットワーク側光送受信部番号が示すネットワーク側光送受信部を光パスに用いることを設定し、
前記プロトコル処理部は、自装置が収容するリンクに対応付けて、当該リンクの端点となるノード装置を識別するためのノード番号、当該リンクのコスト、未使用帯域、および分散量を含むリンク情報と、自装置のノード番号、当該ノード番号が示すノード装置のネットワーク側光送受信部を識別するためのネットワーク側光送受信部番号、および当該ネットワーク側光送受信部番号が示すネットワーク側光送受信部が有する可変分散補償器の分散補償能力を含む分散補償能力情報を他のノード装置および前記経路選択サーバに広告するとともに、前記選択結果を受けた場合には、前記選択結果に基づいて光パスの終点となるノード装置に対して選択した終点となるノード装置のネットワーク側光送受信部を示すネットワーク側光送受信部番号を含む光パス設定要求を通知し、他のノード装置から広告されたリンク情報を受信した場合には受信したリンク情報を前記リンク情報テーブルに登録し、他のノード装置から広告された分散補償能力情報を受信した場合には受信した分散補償能力情報に基づいてノード番号およびネットワーク側光送受信部番号と当該ネットワーク側光送受信部が有する可変分散補償器の分散補償能力との対応を前記分散補償情報テーブルに登録する、
ことを特徴とする請求項１８に記載のノード装置。
【請求項２０】
請求項１６〜１９のいずれか１つに記載のノード装置を備える光ネットワークに適用されるノード装置であって、
分散補償能力が固定の固定分散補償器と、
自装置が収容するリンクの分散量から前記固定分散補償器によって相殺されるリンクの分散量を差し引いたリンクの分散量を算出し、算出したリンクの分散量を含むリンク情報を広告するプロトコル処理部と、
を備える固定分散補償ノード装置。
【請求項２１】
請求項１８に記載のノード装置を複数備える光ネットワークに適用される経路計算サーバであって、
光パスを選択し、前記ノード装置から広告された分散値に基づいて選択した光パスの分散値を算出し、当該光パスの起点ノードから広告された起点のードが備えるネットワーク送受信部の可変分散補償器の分散補償能力と算出した分散量とに基づいて起点ノードのネットワーク側光送受信部を選択し、当該光パスの終点ノードから広告された終点ノードが備えるネットワーク送受信部の可変分散補償器の前記分散補償能力と算出した分散量とに基づいて終点ノードのネットワーク側光送受信部を選択し、選択した光パス、選択した起点ノード装置のネットワーク側光送受信部、当該光パスの終点ノード装置のノード番号および終点ノード装置の選択したネットワーク側光送受信部を含む選択結果を起点ノードへ送信する経路選択部、
を備える、
ことを特徴とする経路計算サーバ。
【請求項２２】
請求項１９に記載のノード装置を複数備える光ネットワークに適用される経路計算サーバであって、
各リンクに対応付けて、当該リンクの端点となるノード装置を識別するためのノード番号と、当該リンクのコスト、未使用帯域、および分散量とが登録されるリンク情報テーブルと、
前記光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルと、
前記光パス設定通知を受信すると、自装置内のリンク情報テーブルに基づいて、少なくとも１つのリンクからなる光パスを選択し、選択した光パスの分散量を算出し、起点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部と、前記光パスの終点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部とを選択し、選択した光パス、選択した起点となるノード装置のネットワーク側光送受信部のネットワーク側光送受信部番号、当該光パスの終点となるノード装置のノード番号および選択した終点となるノード装置のネットワーク側光送受信部を示すネットワーク側光送受信部番号を含む選択結果を起点となるノード装置に送信する経路選択部と、
各ノード装置から広告されたリンク情報を受信した場合には受信したリンク情報を自装置のリンク情報テーブルに登録し、各ノード装置から広告された分散補償能力情報を受信した場合には受信した分散補償能力情報に基づいてノード番号およびネットワーク側光送受信部番号と当該ネットワーク側光送受信部が有する可変分散補償器の分散補償能力との対応を自装置の分散補償情報テーブルに登録するプロトコル処理部と、
を備えることを特徴とする経路計算サーバ。
【発明の詳細な説明】
【技術分野】
【０００１】
本発明は、全光型の光ネットワークにおけるノード装置の分散補償器の制御に関するものである。
【背景技術】
【０００２】
インターネットなどのトラヒックの増大に対応するために、１０Ｇｂ／ｓ〜４０Ｇ／ｓ、将来的にはそれ以上の帯域を１つの波長に乗せて伝送し、光クロスコネクトなどのノード装置において波長または波長の束を光のまま交換することで、数十ｋｍ以上の長距離の全光パスをトラヒック需要に応じ動的に設定する光ネットワークシステムが、今後のバックボーンネットワークシステムと目され研究開発が進んでいる。
【０００３】
長距離にわたる光伝送では、波長分散（chromatic dispersion、以下、分散と略す）を主とする品質劣化要因の影響により伝送波形が歪む。そのため、分散補償ファイバや可変分散補償器といった分散補償手段に光信号を通して歪みを補償する必要がある。分散によって生じる歪みの尺度は分散量と呼ばれ、光ファイバの種別に依存して距離と共に増大する。特に、上述した全光パスを動的に設定する光ネットワークシステムでは、光パスの経路毎に距離や分散量が異なる。そのため、補償できる分散量が固定の分散補償ファイバは光ネットワークシステム内での適用範囲が限定されてしまう。これに対して、可変分散補償器は、光パスに応じて補償すべき分散量をチューニングできるため、上述した全光パスを動的に設定する光ネットワークシステムに有効である。
【０００４】
たとえば、非特許文献１には、４０Ｇｂ／ｓの信号を載せた光パスを切替え、光パスの切替の前後で異なる分散量に応じて可変分散補償器をチューニングする技術が開示されている。具体的には、受信側で信号品質を測定し、測定した信号品質に基づいて可変分散補償器のパラメータを調整するサイクルを繰り返して、可変分散補償器をチューニングするようにしている。
【０００５】
しかしながら、非特許文献１に記載の従来技術では、予め補償すべき分散量の値がわからないと、受信側で信号品質を測定し、測定した信号品質に基づいて可変分散補償器のパラメータを調整するサイクルを多数回繰り返すことになり、チューニング時間が長くなってしまい、動的光パス設定や障害発生時の迂回光パスへの切替においてユーザデータが迅速に導通せず、光ファイバの利用効率が低くまた障害時のサービス断時間が長くなるという問題があった。
【０００６】
この問題への対策として、光パス設定時に光パスの大まかな分散量が分かればそれに基づき可変分散補償器のパラメータを初期設定できるので、たとえ設定が最適でなくても信号品質の測定と可変分散補償器のパラメータ調整のサイクルの回数が大幅に減少し、チューニング時間を劇的に短縮することができる。
【０００７】
従来から、光パス設定時に光パスの分散量を算出する方法に関する種々の技術が考えられている。たとえば、特許文献１には、ノード装置間のリンク毎に光信号の劣化パラメータを定義し、光通信ネットワークで用いられるルーティングプロトコルを利用して、リンクを収容するノード装置が劣化パラメータを他ノード装置に対して広告する技術が開示されている。光パスを設定しようとするノード装置は、他ノード装置から劣化パラメータを受信しているので、光パスの経路として選ばれるリンクの劣化パラメータから光パス全体の信号品質の劣化量を計算し、経路選択に反映することができる。
【０００８】
図１６を参照して、特許文献１に記載の従来技術を詳細に説明する。なお、長距離伝送における光信号の品質劣化の主要因は分散であるため、劣化パラメータを分散量と読み替えて説明する。図１６は、特許文献１に記載の従来技術が適用される光ネットワークの構成図である。図１６において、光ネットワークは、ノード装置５０１〜５０５を備えており、ノード装置５０１とノード装置５０２との間はリンク５１１で接続され、ノード装置５０１とノード装置５０３との間はリンク５１２で接続され、ノード装置５０１とノード装置５０５との間はリンク５１３で接続され、ノード装置５０２とノード装置５０５との間はリンク５１４で接続され、ノード装置５０３とノード装置５０４との間はリンク５１５で接続され、ノード装置５０４とノード装置５０５との間はリンク５１６で接続されている。
【０００９】
また、リンク５１１の劣化パラメータ（分散量）はα５１１であり、リンク５１２の分散量はα５１２であり、リンク５１３の分散量はα５１３であり、リンク５１４の分散量はα５１４であり、リンク５１５の分散量はα５１３であり、リンク５１５の分散量はα５１５である。リンク５１１〜５１６の分散量は、ノード装置５０１〜５０５によってリンク５１１〜５１６を経由して広告されている。
【００１０】
ここで、ノード装置５０１からノード装置５０４への光パスを考える。ノード装置５０１からノード装置５０４への光パス候補は、
（光パス候補１）ノード装置５０１→ノード装置５０３→ノード装置５０４
（光パス候補２）ノード装置５０１→ノード装置５０５→ノード装置５０４
（光パス候補３）ノード装置５０１→ノード装置５０２→ノード装置５０５→ノード装置５０４
の３通りである。
【００１１】
光パス候補の分散量は、経由するリンク５１１〜５１６の分散量の和である。ノード装置５０１〜５０５は分散量α５１１〜α５１６を認識している。よって、光パス候補１〜３の起点となるノード装置５０１は、
光パス候補１の分散量＝α５１２＋α５１６
光パス候補２の分散量＝α５１３＋α５１６
光パス候補３の分散量＝α５１１＋α５１４＋α５１６
を算出し、算出した分散量を可変分散補償器のパラメータ設定に用いることができる。
【００１２】
【特許文献１】特開２００３−２３４８２３号公報
【非特許文献１】M.Yagi, S. Satomi, S. Tanaka, S. Ryu, and S. Asano, "Field Trial of Automatic Chromatic Dispersion Compensation for 40-Gb/s-Based Wavelength Path Protection," IEEE Photonics Technology Letters, Vol.17, No.1, 229頁, 2005年
【発明の開示】
【発明が解決しようとする課題】
【００１３】
しかしながら、上記特許文献１に記載の従来技術は、可変分散補償器のパラメータ設定を目的とするものではなく、光パス候補の品質劣化度合いを予め計算して閾値を超える場合にのみ光パスの中間のノード装置にて識別再生中継器を挿入することで、識別再生中継器の使用数を低減するものである。そのため、上記特許文献１に記載の分散量の算出では、
（１）可変分散補償の技術は盛んに研究され年々進歩しており、光ネットワークを構成するノード装置がインフラとして継続的に使用されるうちに性能が格段に向上した分散補償器が入手可能になると予想されること。
（２）可変分散補償の技術が様々であることから、分散補償能力が高く高価な分散補償器と分散補償能力が低く安価な分散補償器とが使い分けられると想定されること。
の２点から、可変の分散補償器を柔軟に制御することは難しい。
【００１４】
すなわち、上記（１），（２）を考えると、光パスを動的に設定可能な全光型の光ネットワークにおいて、トラヒック需要の増大に応じて新たなノード装置を追加したり、分散補償能力が低くても補償可能な近距離光パスと高い分散補償能力を要する長距離光パスとで分散補償手段を使い分けたりする場合、光ネットワーク内に分散補償能力が高いノード装置と分散補償能力が低いノード装置が混在することになる。しかしながら、上記特許文献１の従来技術では、リンク毎の分散量しか広告しないため、光パスの経路に応じてノード装置の分散補償能力の高低を適切に使い分ける制御を実現することはできないという問題があった。
【００１５】
また、光パスの経路選択は通常光パスの起点ノードで実行されるか経路計算サーバにて実行され起点ノード装置へ伝えられるので、上記特許文献１に記載の従来の技術を用いて経路選択時に光パスの分散量を算出しても、算出した分散量は起点となるノード装置しか知り得なかった。光パスは双方向なので、分散補償手段がデータの送信側・受信側いずれに配置される場合でも、分散補償手段へのパラメータ設定は起点および終点のノード装置にて必要であるが、特許文献１に記載の従来技術では、起点ノード装置から終点ノード装置へ分散量または分散補償手段へ設定すべきパラメータの情報を伝える技術は開示されていない。
【００１６】
本発明は、上記に鑑みてなされたものであって、異なる分散補償能力の可変分散補償器を複数有するノード装置間において光パスを設定する際に、設定する光パスの分散量に応じて、光パスの起点および終点となるノード装置の可変分散補償器を選択する光ネットワークを得ることを目的とする。
【課題を解決するための手段】
【００１７】
上述した課題を解決し、目的を達成するために、本発明は、異なる最大分散補償能力の可変分散補償器を有するネットワーク側光送受信部を複数備える複数のノード装置が、リンクによって接続される光ネットワークにおいて、前記ノード装置は、各リンクに対応付けて、当該リンクの端点となるノード装置を識別するためのノード番号と、当該リンクのコスト、未使用帯域、および分散量とが登録されるリンク情報テーブルと、前記光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルと、光パス設定要求によって光パスの起点ノード装置となる場合、前記リンク情報テーブルに基づいて、少なくとも１つのリンクからなる光パスを選択し、選択した光パスの分散量を算出し、自装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部と、前記光パスの終点となるノード装置のノード番号および当該ノード番号が示すノード装置のネットワーク側光送受信部に対応付けて前記分散補償能力情報テーブルに登録されている分散補償能力の値が、算出した分散量以上であって、かつ算出した分散量に最も近いネットワーク側光送受信部とを選択し、選択した光パス、選択した自装置のネットワーク側光送受信部のネットワーク側光送受信部番号、当該光パスの終点となるノード装置のノード番号および選択した終点となるノード装置のネットワーク側光送受信部を示すネットワーク側光送受信部番号を含む選択結果を出力する経路選択部と、前記選択結果を受けた場合には前記選択結果に基づいて、自装置のネットワーク側光送受信部を光パスに用いることを設定するとともに、前記リンク情報テーブルおよび分散補償能力情報テーブルを更新し、他のノード装置が通知する光パス設定要求を受けた際に、自装置が終点ノードである場合には受信した光パス設定要求に含まれるネットワーク側光送受信部番号が示すネットワーク側光送受信部を光パスに用いることを設定する制御部と、自装置が収容するリンクに対応付けて、当該リンクの端点となるノード装置を識別するためのノード番号、当該リンクのコスト、未使用帯域、および分散量を含むリンク情報と、自装置のノード番号、当該ノード番号が示すノード装置のネットワーク側光送受信部を識別するためのネットワーク側光送受信部番号、および当該ネットワーク側光送受信部番号が示すネットワーク側光送受信部が有する可変分散補償器の分散補償能力を含む分散補償能力情報を他のノード装置に広告するとともに、前記選択結果を受けた場合には、前記選択結果に基づいて光パスの終点となるノード装置に対して選択した終点となるノード装置のネットワーク側光送受信部を示すネットワーク側光送受信部番号を含む光パス設定要求を通知し、他のノード装置から広告されたリンク情報を受信した場合には受信したリンク情報を前記リンク情報テーブルに登録し、他のノード装置から広告された分散補償能力情報を受信した場合には受信した分散補償能力情報を前記分散補償情報テーブルに登録するプロトコル処理部と、を備えることを特徴とする。
【発明の効果】
【００１８】
この発明によれば、光パスの起点となるノード装置の経路選択部は、各リンクに対応付けて、当該リンクの端点となるノード装置を識別するためのノード番号と、当該リンクのコスト、未使用帯域、および分散量が登録されるリンク情報テーブルに基づいて、終点となるノード装置への光パスを選択するとともに、選択した光パスの分散量を算出し、算出した分散量と、光ネットワーク内の各ノード装置のノード番号および当該ノード番号が示すノード装置のネットワーク側光送受信部に対応付けて、当該ネットワーク側光送受信部が有する可変分散補償器の分散補償能力が登録される分散補償能力情報テーブルとに基づいて、起点および終点となるノード装置が使用する可変分散補償器を有するネットワーク側光送受信部を選択するようにしているため、異なる分散補償能力の可変分散補償器を複数有するノード装置間において光パスを設定する際に、設定する光パスの分散量に応じて、光パスの起点および終点となるノード装置の可変分散補償器を選択する光ネットワークを得ることができるという効果を奏する。
【発明を実施するための最良の形態】
【００１９】
以下に、本発明にかかる光ネットワークの実施の形態を図面に基づいて詳細に説明する。なお、この実施の形態によりこの発明が限定されるものではない。
【００２０】
実施の形態１．
図１〜図９を用いてこの発明の実施の形態１を説明する。図１は、この発明における光ネットワークの構成の一例を示す図である。図１において、光ネットワークは、ノード装置１０１〜１０５を備えている。ノード装置１０１とノード装置１０２との間はリンク３０１で接続され、ノード装置１０１とノード装置１０４との間はリンク３０３で接続され、ノード装置１０２とノード装置１０３との間はリンク３０２で接続され、ノード装置１０２とノード装置１０４との間はリンク３０６で接続され、ノード装置１０２とノード装置１０５との間はリンク３０７で接続され、ノード装置１０３とノード装置１０５との間はリンク３０５で接続され、ノード装置１０４とノード装置１０５との間はリンク３０４で接続されている。ノード装置１０１はルータ２０１，２０２を収容しており、ノード装置１０３はルータ２０３，２０４を収容しており、ルータ２０１からルータ２０３への短距離の光パスは、ノード装置１０１からノード装置１０２を介してノード装置１０３への光パス３５１であり、ルータ２０１からルータ２０３への長距離の光パスは、ノード装置１０１からノード装置１０４，１０５を介してノード装置１０３への光パス３５２である。すなわち、光パス３５１と光パス３５２とは、終端ノードは同じだが経路の異なる光パスである。また、ノード装置１０１〜１０５およびルータ２０１〜２０４は、それぞれ制御プレーンインターフェース（以下、制御プレーンＩＦとする）によって、ルーティングプロトコルやシグナリングプロトコルを伝達する制御プレーン２５１と接続されている。
【００２１】
ノード装置１０１〜１０５は、すべて同じ機能を備えている。図２に示したノード装置１０１の構成を示すブロック図を参照して、ノード装置の機能について説明する。図２において、ノード装置１０１は、クライアント装置を収容するクライアントインタフェース（以下、クライアントＩＦとする）のリンクを終端するｉ（１＜ｉ，ｉは自然数）個のクライアント側光送受信部（図中ではＵ）１３１−１〜１３１−ｉと、可変分散補償器を有しクライアント側光送受信部１３１−１〜１３１−ｉに対応してノード装置１０２．１０４とのネットワークインタフェース（以下、ネットワークＩＦとする）１８１，１８２を終端して送信波長を変更するネットワーク側光送受信部（図中ではＮ）１５１−１〜１５１−ｉと、クライアント側光送受信部１３１−１〜１３１−ｉとネットワーク側光送受信部１５１−１〜１５１−ｉとを収容して任意の接続を提供する電気スイッチ１４１と、ネットワーク側光送受信部１５１−１〜１５１−ｉとネットワークＩＦの各波長を収容して任意の接続を提供する光スイッチ１６１と、ネットワークＩＦ毎に波長を束ねる波長多重分離部１７１，１７２と、制御プレーンＩＦ１９１を介して制御プレーンネットワーク２５１に接続し、ノード装置１０２〜１０５間でルーティングプロトコルおよびシグナリングプロトコルのメッセージを送受信して光パスを設定する光パス設定処理部１１１とを備えている。
【００２２】
図２においては、クライアントＩＦのリンク１２１，１２２がクライアント装置であるルータ２０１を収容し、クライアントＩＦのリンク１２３，１２４がルータ２０２を収容しており、クライアント側光送受信部１３１−１がクライアントＩＦのリンク１２１を終端し、クライアント側光送受信部１３１−２がクライアントＩＦのリンク１２２を終端し、クライアント側光送受信部１３１−ｉ−１がクライアントＩＦのリンク１２３を終端し、クライアント側光送受信部１３１−ｉがクライアントＩＦのリンク１２４を終端している。
【００２３】
ネットワーク側光送受信部１５１−１〜１５１−ｉは、上述したようにそれぞれ可変分散補償器を有しているが、各分散補償器の分散補償能力は異なっている。ここでは、ネットワーク側光送受信部１５１−１が有する可変分散補償器の分散補償能力は、ネットワーク側光送受信部１５１−２が有する可変分散補償器の分散補償能力よりも小さいものとする。すなわち、ノード装置１０１においては、分散補償能力が低い可変分散補償器を有するネットワーク側光送受信部１５１−１でも先の図１における短距離の光パス３５１は分散を補償することができるが、長距離の光パス３５２は分散補償能力が高い可変分散補償器を有するネットワーク側光送受信部１５１−２でなければ分散を補償することができない。
【００２４】
なお、図２においては、ネットワーク側光送受信部１５１−１〜１５１−ｉ、光スイッチ１６１、および波長多重分離部１７１，１７２がノード装置１０１内に収容されているが、光スイッチ１６１および波長多重分離部１７１，１７２は別装置に備えるようにしてもよい。すなわち、光スイッチ１６１および波長多重分離部１７１，１７２は、必ずしもノード装置１０１が備える必要はない。
【００２５】
図３は、図２に示した光パス設定処理部１１１の構成を示すブロック図である。図３において、光パス設定処理部１１１は、光パスの選択に必要な情報が登録される経路情報データベース１１１１と、制御プレーンＩＦ１９１を介して制御プレーンネットワーク２５１と接続し、ノード装置１０２〜１０５とルーティングプロトコルおよびシグナリングプロトコルのメッセージの送受信を行い、メッセージに基づいて経路情報データベースを構築するプロトコル処理部１１１４と、経路情報データベース１１１１に基づいて光パスを選択する経路選択部１１１５とを備えている。
【００２６】
経路情報データベース１１１１は、光ネットワーク内のすべてのリンク３０１〜３０７のリンク情報が登録されるリンク情報テーブル１１１２と、設定する光パスの端点となるノード装置１０１〜１０５の分散補償能力情報が登録される分散補償能力情報テーブル１１１３と、一般的なルーティングに必要な情報が定義されるルーティング情報テーブル（図示せず）を備えている。
【００２７】
図４は、リンク情報テーブル１１１２に登録されるリンク情報の登録項目を示している。図４においては、リンク情報テーブル１１１２のリンク情報の登録項目として、リンク番号、リンク番号に対応付けたノード装置１、ノード装置２、コスト、未使用帯域、および分散量が挙げられている。リンク番号には、リンクを識別するためのリンク識別子であるリンク番号またはアドレスが登録される。ノード装置１およびノード装置２には、対応付けられたリンク番号が示すリンクによって接続されるノード装置１０１〜１０５を識別するためのノード識別子であるノード番号が登録される。コストには、対応付けられたリンク番号が示すリンクのコストが登録される。未使用領域には、対応付けられたリンク番号が示すリンクの未使用帯域が登録される。分散量には、対応付けられたリンク番号が示すリンクの分散量が登録される。
【００２８】
図５は、分散補償能力情報テーブル１１１３の登録項目を示している。図５においては、分散補償能力情報テーブル１１１３の登録項目として、ノード番号に対応付けた光送受信部番号および分散補償能力が挙げられている。ノード番号には、ノード装置１０１〜１０５を識別するためのノード識別子が登録される。光送受信部番号には、対応付けられたノード番号が示すノード装置のネットワーク側光送受信部１５１−１〜１５１−ｉを識別するための光送受信部識別子である光送受信部番号が登録される。分散補償能力には、対応する光送受信部番号が示すネットワーク側光送受信部１５１−１〜１５１−ｉが有する可変分散補償器の分散補償能力が登録される。
【００２９】
制御部１１１６は、光パス設定処理部１１１の各構成要素を統括的に管理するとともに、入力部（図示せず）を用いてオペレータから入力されるリンク情報をリンク情報テーブル１１１２に登録する。
【００３０】
プロトコル処理部１１１４は、光パスの設定に先立って、自身のリンク情報および分散補償能力情報を広告する。また、プロトコル処理部１１１４は、他のノード装置１０２〜１０５が広告したリンク情報および分散補償能力情報と、自身が広告したリンク情報および分散補償能力情報とに基づいて、リンク情報テーブル１１１２および分散補償能力情報テーブル１１１３を作成する。
【００３１】
プロトコル処理部１１１４は、リンク情報のリンク番号、ノード番号１、ノード番号２、コスト、および未使用帯域は、たとえば、ＧＭＰＬＳ標準のルーティングプロトコルＯＳＦＰ−ＴＥ（IETF Internet Draft, "OSPF Extensions in Support of Generalized Multi-Protocol Label Switching"）を用いて広告する。
【００３２】
また、プロトコル処理部１１１４は、リンク情報の分散量、分散補償能力情報の光送受信部番号および分散補償能力は、たとえば、図６に示したＯＳＰＦの標準ＲＦＣ２３７０で定められたＯｐａｑｕｅ  ＬＳＡ（Link State Advertisement)のフォーマットを用いて広告する。ここで、ＬＳＡとは、ＯＳＰＦがルーティング情報を広告する時の情報単位であり、ＬＳＡ種別を識別する識別子が割当てられている。Ｏｐａｑｕｅ  ＬＳＡはＯＳＰＦに上位互換な拡張性を持たせるため定められたＬＳＡのクラスで、そのＬＳＡ種別をサポートしていなくてもＬＳＡ内容を変更することなく他のノード装置へ伝達するものと規定されている。この実施の形態１では、分散量および分散補償能力をサポートしない従来のノード装置との相互運用性を保つことを可能とするため、Ｏｐａｑｕｅ  ＬＳＡに割り当てられたＬＳＡ識別子の１つを分散量および分散補償能力の広告に利用する。
【００３３】
より具体的には、リンク情報の分散量を広告する際には、Ｏｐａｑｕｅ  ＬＳＡのＯｐａｑｕｅ  ｉｎｆｏｍａｔｉｏｎとして、第１のリンク番号、第１の分散量、第２のリンク番号、第２の分散量、…、というように、自身が端点となるリンクを示すリンク番号と、当該リンク番号が示すリンクの分散量とを組として、それぞれ３２ビットのフィールドへ符号化し、分散補償能力を広告する際には、Ｏｐａｑｕｅ  ｉｎｆｏｒｍａｔｉｏｎとして、第１の光送受信部番号、第１の光送受信部の分散補償能力、第２の光送受信部番号、第２の光送受信部の分散補償能力、…、というように、自身が有するネットワーク側光送受信部１５１−１〜１５１−ｉを示す光送受信部番号と、当該光送受信部番号が示すネットワーク側光送受信部１５１−１〜１５１−ｉが有する可変分散補償器の分散補償能力をそれぞれ３２ビットのフィールドへ符号化する。
【００３４】
また、プロトコル処理部１１１４は、経路選択部１１１５によって選択された光パスのリンクに沿って終点となるノード装置１０２〜１０５に対してシグナリングプロトコルのパケットを送信する。具体的には、プロトコル処理部１１１４は、図７に示すような、光パス設定のシグナリングプロトコルとして標準化されているＲＳＶＰ−ＴＥ（IETF RFC 3473）のＰＡＴＨメッセージにおいて、可変分散補償器への設定に必要なパラメータ搭載するＲＳＶＰオブジェクトを用いて、光パスを設定するとともに可変分散補償器への設定に必要なパラメータを終点となるノード装置１０２〜１０５に通知する。
【００３５】
ＲＳＶＰオブジェクトとは、ＲＳＶＰのメッセージに搭載される情報の単位であり、図７中のＣｌａｓｓ−ＮｕｍおよびＣ−ｔｙｐｅの２つのフィールドによって識別される。ＲＳＶＰの基本標準（IETF RFC 2205）では、Ｃｌａｓｓ−Ｎｕｍの上位２ビットがともに「１」のＲＳＶＰオブジェクトを受け取ったノード装置はそのオブジェクトをサポートしていなくても値を変更することなく次のノード装置へ転送すべきと規定されている。よって、図７に示すＲＳＶＰオブジェクトはＣｌａｓｓ−Ｎｕｍの上位２ビットをともに「１」とすることで、光パスの起点ノードと終点ノード間にこのオブジェクトを理解しないノード装置が存在する場合でも中継に支障が無いという上位互換性を確保することを可能としている。
【００３６】
経路選択部１１１５は、光パス設定通知およびリンク情報テーブル１１１２に基づいて光パスを選択し、選択した光パスの分散量を算出する。経路選択部１１１５は、算出した分散量および分散補償能力情報テーブル１１１３に基づいて、選択した光パスの設定において使用する自装置および終点となるノード装置１０２〜１０５のネットワーク側光送受信部１５１−１〜１５１−ｉを選択する。
【００３７】
つぎに、図１〜図９を参照して、この発明におけるノード装置が適用される光ネットワークの光パスに応じた分散補償能力の使い分け制御の動作について説明する。図８のフローチャートに示すように、この発明におけるノード装置が適用される光ネットワークの光パスに応じた分散補償能力の使い分け制御の動作は、ノード装置１０１〜１０５は自装置が収容するリンク３０１〜３０７の分散量と自身の分散補償能力とを定義する分散量および分散補償能力定義処理（ステップＳ１００）と、ルーティングプロトコルを用いてルーティング情報を広告するとともに、受信したルーティング情報を経路情報データベース１１１１に格納し、ノード装置１０１〜１０５間で経路情報データベース１１１１の情報を共用する経路情報共有処理（ステップＳ２００）と、光パス設定要求によって起点ノード装置と終点ノード装置との間の経路およびネットワーク側光送受信部１５１−１，１５１−２を選択する経路選択処理（ステップＳ３００）と、選択した経路に沿って起点ノード装置から終点ノード装置へシグナリングプロトコルのパケットを送信して光パスを設定するとともに、終点ノード装置のネットワーク側光送受信部１５１−１，１５１−２が有する可変分散補償器の設定に必要なパラメータを通知する光パス設定処理（ステップＳ４００）とからなる。
【００３８】
リンク３０１〜３０７の分散量やノード装置１０１〜１０５のネットワーク側光送受信装置１５１−１〜１５１−ｉが有する可変分散補償器の分散補償能力は動的に変化することはない。そのため、ノード装置１０１〜１０５の光パス設定処理部１１１は、ノード装置１０１〜１０５の設定時、および光ネットワークの構成変更時、またはリンク３０１〜３０７の開通時に１度だけ分散量および分散補償能力定義処理を実行する。
【００３９】
ノード装置１０１〜１０５の光パス設定処理部１１１は、分散量および分散補償能力定義処理を実行した後、および光パスの設定・解放によってリンク３０１〜３０７の未使用帯域や自装置のネットワーク側光送受信部１５１−１〜１５１−ｉの使用状態（ネットワーク側光送受信部１５１−１〜１５１−ｉが有する可変分散補償器の分散補償能力の状態）が変化した時に、経路情報共有処理を実行する。
【００４０】
ノード装置１０１〜１０５の光パス設定処理部１１１は、光ネットワークを管理するオペレータやルータから光パス設定要求を受けた時に、経路選択処理、および光パス設定処理を実行する。
【００４１】
つぎに、先の図１に示した光ネットワークの短距離の光パス３５１および長距離の光パス３５２を設定する場合を例に挙げて、分散量および分散補償能力定義処理、経路情報共有処理、経路選択処理、および光パス設定処理の詳細な動作を説明する。また、図９は、図１に示した光ネットワークの短距離の光パス３５１および長距離の光パス３５２が経由する経路と経路上のノード装置１０１〜１０５の光パスに応じた分散補償能力の使い分け制御の説明に必要な構成部分のみを示す図である。図１および図２に示した構成部分と同一の機能を持つ構成部分には同一符号を付し、ここではその説明を省略する。
【００４２】
まず、分散量および分散補償能力定義処理の詳細な動作を説明する。ノード装置１０１〜１０５の設定時や光ネットワークの構成変更時、リンク３０１〜３０７の開通時に、オペレータは、ノード装置１０１〜１０５の入力部を用いて、当該ノード装置が端点となるリンクのリンク情報を入力する。先の図１に示した光ネットワークの場合、ノード装置１０１にはリンク３０１，３０３のリンク情報を入力し、ノード装置１０２にはリンク３０１、３０２，３０６，３０７のリンク情報を入力し、ノード装置１０３にはリンク３０２，３０５のリンク情報を入力し、ノード装置１０４にはリンク３０３、３０４、３０６のリンク情報を入力し、ノード装置１０５にはリンク３０４、３０５、３０７のリンク情報を入力する。なお、リンク情報の１つである分散量については、リンクを構成する光ファイバの種別および距離から決定した値、または実測値を入力する。
【００４３】
ノード装置１０１〜１０５の制御部１１１６は、入力部を介して入力されたリンク情報をリンク情報テーブル１１１２に登録する。これにより、ノード装置１０１〜１０５のリンク情報テーブル１１１２には、自身が端点となるリンク３０１〜３０７に対応付けたリンク情報が登録される。具体的には、ノード装置１０１のリンク情報テーブル１１１２にはリンク３０１，３０３のリンク情報Ｌ１，Ｌ２（図３参照）が登録され、ノード装置１０２のリンク情報テーブル１１１２にはリンク３０１，３０２，３０６，３０７のリンク情報Ｌ１，Ｌ２，Ｌ６，Ｌ７（図３参照）が登録され、ノード装置１０３のリンク情報テーブル１１１２にはリンク３０２、３０５のリンク情報Ｌ２，Ｌ５（図３参照）が登録され、ノード装置１０４のリンク情報テーブル１１１２にはリンク３０３、３０４、３０６のリンク情報Ｌ３，Ｌ４，Ｌ６（図３参照）が登録され、ノード装置１０５のリンク情報テーブル１１１２にはリンク３０４、３０５、３０７のリンク情報Ｌ４、Ｌ５、Ｌ７（図３参照）が登録される。
【００４４】
リンク情報テーブル１１１２にリンク情報を登録した後、ノード装置１０１〜１０５の制御部１１１６は、自身のネットワーク側光送受信部１５１−１〜１５１−ｉが有する可変分散補償器の分散補償能力を読み出す。制御部１１１６は、自装置のノード番号およびネットワーク側光送受信部１５１−１〜１５１−ｉの光送受信部番号に対応付けて、読み出したそれぞれの分散補償能力を分散補償能力情報テーブル１１１３に登録する。
【００４５】
なお、ここでは、リンク情報の分散量をオペレータが入力するようにしたが、隣接するノード装置１０１〜１０５が連携して分散量を測定し、測定した分散量をリンク情報テーブル１１１２の分散量に登録するようにしてもよい。
【００４６】
分散量の測定方法は、特に限定しないが、たとえば、測定元のノード装置が対向するノード装置に対して測定用信号を送信し、測定用信号を受信したノード装置は受信した測定用信号を送信元のノード装置に折り返し送信することで測定可能である。具体的には、リンク３０１の分散量を測定する場合、測定元であるノード装置１０１の制御部１１１６が、リンク３０１に対応する波長多重分離部１７１を介して対向するノード装置１０２に測定用信号を送信し、ノード装置１０２の制御部１１１６が、リンク３０１に対応する波長多重分離部１７１および光スイッチ１９１を介してノード装置１０１から受信した測定用信号を折り返してノード装置１０１に送信する。ノード装置１０１の制御部１１１６は、ノード装置１０２に対して測定用信号を送信してから、ノード装置１０２が折り返し送信した測定用信号を受信するまでの遅延時間を測定する。ノード装置１０１の制御部１１１６は、測定した遅延時間から自装置とノード装置１０２とのリンク３０１の光伝送路の距離を算出し、算出した距離に基づいてリンク３０１の分散量を導出する。
【００４７】
つぎに、経路情報共有処理の詳細な動作について説明する。ノード装置１０１〜１０５の制御部１１１６は、分散量および分散補償能力定義処理を実行した後、または光パスの設定・解放によってリンク３０１〜３０７の未使用帯域や自装置のネットワーク側光送受信部１５１−１〜１５１−ｉの使用状態が変化したことを検出すると、経路情報共有処理を実行することをプロトコル処理部１１１４に通知する。
【００４８】
ＯＰＳＦなどのルーティングプロトコルには、自装置が生成するルーティング情報を隣接するノード装置１０１〜１０５に送信するとともに、隣接するノード装置１０１〜１０５から受信したルーティング情報を他の隣接するノード装置１０１〜１０５に送信することで相互に接続された全てのノード装置１０１〜１０５にそれぞれのルーティング情報を伝える手順、すなわちルーティング情報を広告する手順、および受信したルーティング情報をノード装置１０１〜１０５の経路情報データベース１１１１に記憶する機能が規定されている。ノード装置１０１〜１０５のプロトコル処理部１１１４は、このような従来の技術によって規定されたルーティング情報に、分散量および分散補償能力情報を追加することで、ルーティング情報、リンク情報、および分散補償能力情報を広告するとともに、他のノード装置１０１〜１０５のルーティング情報、リンク情報、および分散補償能力情報を付加して、ノード装置１０１〜１０５の経路情報データベース１１１１に登録する。
【００４９】
ここでは、ノード装置１０１〜１０５のプロトコル処理部１１１４は、ルーティングプロトコルとしてＯＳＰＦを用いて、先の図６に示したＯＳＰＦの標準ＲＦＣ２３７０で定められたＯｐａｑｕｅ  ＬＳＡに分散量および分散補償能力情報を設定することで、ルーティング情報、リンク情報、および分散補償能力情報を広告するとともに、他のノード装置１０１〜１０５のルーティング情報、リンク情報、および分散補償能力情報を付加して、ノード装置１０１〜１０５の経路情報データベース１１１１に登録する。これにより、既存のノード装置１０１〜１０５に対する上位互換性を維持しつつ、光ネットワーク内のすべてのノード装置１０１〜１０５のリンク情報テーブル１１１２および分散補償能力情報テーブル１１１３は、先の図４および図５に示したように同一の情報が登録され、リンク情報および分散補償能力情報の共有を実現することが可能となる。
【００５０】
つぎに、経路選択処理の詳細な動作について説明する。自装置を起点としてノード装置１０３を終点とする光パス設定要求を受けると、ノード装置１０１の制御部１１１６は、ノード装置１０３への光パス選択要求を経路選択部１１１５に通知する。経路選択部１１１５は、リンク情報テーブル１１１２を用いてノード装置１０３までの光パスとして、リンクのコストの合計が最低値となる光パスを選択する。ノード装置１０１からノード装置１０３への光パス候補は、
（光パス候補１）ノード装置１０１→ノード装置１０２→ノード装置１０３
（光パス候補２）ノード装置１０１→ノード装置１０２→ノード装置１０４→ノード装置１０５→ノード装置１０３
（光パス候補３）ノード装置１０１→ノード装置１０２→ノード装置１０５→ノード装置１０３
（光パス候補４）ノード装置１０１→ノード装置１０４→ノード装置１０５→ノード装置１０３
などがある。経路選択部１１１５は、リンク情報テーブル１１１２に基づいて例えば上記４つの光パス候補を抽出する。経路選択部１１１５は、抽出した光パス候補１〜４のそれぞれのコストを算出し、算出したコストが最も小さい光パス候補１〜４を光パスとして選択する。
光パス候補１のコスト＝リンク３０１のコスト＋リンク３０２のコスト＝２０
光パス候補２のコスト＝リンク３０１のコスト＋リンク３０６のコスト＋リンク３０４のコスト＋リンク３０５のコスト＝６０
光パス候補３のコスト＝リンク３０１のコスト＋リンク３０７のコスト＋リンク３０５のコスト＝５０
光パス候補４のコスト＝リンク３０３のコスト＋リンク３０４のコスト＋リンク３０５のコスト＝５０
であるので、経路選択部１１１５は、光パス候補１、すなわち光パス３５１を選択する。
【００５１】
経路選択部１１１５は、リンク情報テーブル１１１２に基づいて、選択した光パス３５１の分散量を算出する。光パス３５１は、リンク３０１とリンク３０２からなる。したがって、経路選択部１１１５は、リンク３０１とリンク３０２との分散量を加算して光パス３５１の分散量「６０」を算出する。
【００５２】
経路選択部１１１５は、算出した光パス３５１の分散量と分散補償能力情報テーブル１１１３とに基づいて、光パス３５１に用いる自装置のネットワーク側光送受信部１５１−１〜１５１−ｉおよび終点ノード装置１０３のネットワーク側光送受信部１５１−１〜１５１−ｉを選択する。具体的には、経路選択部１１１５は、自装置（この場合はノード装置１０１）が有するネットワーク側光送受信部番号に対応付けて分散補償能力情報テーブル１１１３に登録されている分散補償能力の値が、算出した分散量以上であって、かつ最も分散量に近いネットワーク側光送受信部１５１−１〜１５１−ｉを選択する。すなわち、必要最低限の分散補償能力のネットワーク側光送受信部１５１−１〜１５１−ｉを選択し、より大きい分散量の光パスに分散補償能力の大きいネットワーク側光送受信部１５１−１〜１５１−ｉを残しておくようにする。ここでは、ネットワーク側光送受信部番号「Ｎ１」が付与されているネットワーク側光送受信部１５１−１の分散補償能力が「１００」であり、ネットワーク側光送受信部番号「Ｎ２」が付与されているネットワーク側光送受信部１５１−２の分散補償能力が「５００」であり、ネットワーク側光送受信部番号「Ｎ３」が付与されているネットワーク側光送受信部１５１−３の分散補償能力が「５００」であるので、ネットワーク側光送受信部番号「Ｎ１」が付与されているネットワーク側光送受信部１５１−１が選択される。
【００５３】
経路選択部１１１５は、自装置のネットワーク側光送受信部１５１−１の選択と同様に、終点となるノード装置１０３のネットワーク側光送受信部１５１−１〜１５１−ｉを選択する。すなわち、ノード装置１０３のネットワーク側光送受信部番号に対応付けて登録されている分散補償能力の分散補償能力の値が、算出した分散量以上であって、かつ最も分散量に近いネットワーク側光送受信部１５１−１〜１５１−ｉを選択する。ここでは、ノード装置１０３に付与されているノード装置番号「１０３」のネットワーク側光送受信部番号「Ｎ１」に対応付けられている分散補償能力「１００」が算出した分散量「６０」以上であって、かつ最も分散量に近い値である。したがって、ノード装置１０３のネットワーク側光送受信部として、ネットワーク側光送受信部１５１−１を選択する。
【００５４】
また、経路選択部１１１５は、選択したノード装置１０１およびノード装置１０３のネットワーク側光送受信部１５１−１の可変分散補償器の設定パラメータ（たとえば、分散量補償値や分散量補償の対象となる波長など、可変分散補償器の設定に必要な値）を算出する。
【００５５】
経路選択部１１１５は、選択した光パス３５１を構成するリンク３０１、３０２のリンク番号と、算出した分散量と、自装置および終点ノード装置１０３のノード装置番号と、当該ノード番号装置に関連付けて選択したネットワーク側光送受信部番号、当該ネットワーク側光送受信部番号が有する可変分散補償器の設定パラメータを含む選択結果を制御部１１１６およびプロトコル処理部１１１４に通知する。
【００５６】
つぎに、光パス設定処理の詳細な動作について説明する。ノード装置１０１の制御部１１１６は、選択結果に基づいて自身のネットワーク側光送受信部１５１−１が有する可変分散補償器を設定する。一方、プロトコル処理部１１１４は、選択結果を受けると、選択した光パス３５１のリンク３０１、３０２に沿って終点となるノード装置１０３へシグナリングプロトコルのパケットを送信し光パス３５１を設定する。このとき、プロトコル処理部１１１４は、先の図７に示したＲＳＶＰオブジェクトのＣＬＡＳＳ−Ｎｕｍの上位２ビットに「１」を設定し、終点ノード装置の光送受信部番号にノード装置１０３のネットワーク側光送受信部１５１−１のネットワーク側光送受信部番号「Ｎ１」を設定し、可変分散補償器への設定パラメータ（たとえば、分散量補償値や分散量補償の対象となる波長など、可変分散補償器の設定に必要な値）を設定する。
【００５７】
起点となるノード装置１０１のプロトコル処理部１１１４が送信したシグナリングプロトコルのパケットは、ノード装置１０２およびノード装置１０３に到達し、光パス３５１が設定される。ノード装置１０２の制御部１１１６は、シグナリングプロトコルのパケットから自身が光パス３５１の終点となるノード装置ではないことを認識し、光スイッチ１６１を用いてリンク３０１とリンク３０２とを接続する。
【００５８】
終点のノード装置１０３の制御部１１１６は、シグナリングプロトコルのパケットから自身が光パス３５１の終点となるノード装置であることを認識し、シグナリングプロトコルのパケットのＲＳＶＰオブジェクトの終点ノード装置の光送受信部番号に設定されているネットワーク側光送受信部番号「Ｎ１」が示すネットワーク側光送受信部１５１−１を選択する。そして、制御部１１１６は、シグナリングプロトコルのパケットのＲＳＶＰオブジェクトの可変分散補償器への設定パラメータに設定されているパラメータを用いて、ネットワーク側光送受信部１５１−１が有する可変分散補償器を設定する。
【００５９】
光パス３５１に対する光パス設定処理を実行したことにより、リンク３０１，３０２が使用されて未使用帯域が「０」となる。また、ノード装置１０１およびノード装置１０３のネットワーク側光送受信部１５１−１が使用され、ノード装置１０１およびノード装置１０３のネットワーク側光送受信部１５１−１の分散補償能力も「０」となる。ノード装置１０１，１０２，１０３の制御部１１１６は、リンク情報テーブル１１１２および分散補償能力情報テーブル１１１３を含む経路情報データベース１１１１を更新する。
【００６０】
光パス３５１が設定されたことにより、光ネットワークのルーティング情報が変更されるので、上述した経路情報共有処理が実行され、ノード装置１０１〜１０５のリンク情報テーブル１１１２および分散補償能力情報テーブル１１１３を含む経路情報データベース１１１１が更新される。
【００６１】
さらに、ノード装置１０１からノード装置１０３への２本目の光パスを設定する場合、１本目の光パス３５１を設定した場合と同様に、ノード装置１０１の制御部１１１６は、ノード装置１０３への光パス選択要求を受けて経路選択部１１１５およびプロトコル処理部１１１４に上述した経路選択処理および光パス設定処理を実行させる。
【００６２】
ノード装置１０３への２本目の光パス設定時には、ノード装置１０１のリンク情報テーブル１１１２のリンク情報Ｌ１およびリンク情報Ｌ２の未使用帯域は「０」となっている。すなわち、ノード装置１０２へのリンク３０１は使用することができない。したがって、光パス候補としては、上述した光パス候補１〜４のうち光パス候補４のみであり、ノード装置１０１の経路選択部１１１５は、光パス候補４である光パス３５２の分散量「１５０」を算出する。経路選択部１１１５は、未使用のネットワーク側光送受信部１５１−２〜１５１−ｉの分散補償能力の値が、算出した分散量「１５０」以上であって、かつ最も分散量「１５０」に近い自身のネットワーク側光送受信部１５１−２と終点となるノード装置１０３のネットワーク側光送受信部１５１−ｉとを選択し、選択結果を制御部１１１６およびプロトコル処理部１１１４に通知する。
【００６３】
選択結果を受けた制御部１１１６およびプロトコル処理部１１１４は、上述した光パス設定処理を実行する。ノード装置１０１の制御部１１１６は、選択結果に基づいて自身のネットワーク側光送受信部１５１−２が有する可変分散補償器を設定する。一方、プロトコル処理部１１１４は、選択結果を受けると、選択した光パス３５２のリンク３０３，３０４、３０５に沿って終点となるノード装置１０３へシグナリングプロトコルのパケットを送信し光パス３５２を設定する。このとき、プロトコル処理部１１１４は、先の図７に示したＲＳＶＰオブジェクトのＣＬＡＳＳ−Ｎｕｍの上位２ビットに「１」を設定し、終点ノード装置の光送受信部番号にノード装置１０３のネットワーク側光送受信部１５１−ｉのネットワーク側光送受信部番号「Ｎｉ」を設定し、可変分散補償器への設定パラメータを設定する。
【００６４】
起点となるノード装置１０１のプロトコル処理部１１１４が送信したシグナリングプロトコルのパケットは、ノード装置１０４、ノード装置１０５およびノード装置１０３に到達し、光パス３５２が設定される。ノード装置１０４，１０５の制御部１１１６は、シグナリングプロトコルのパケットから自身が光パス３５２の終点となるノード装置ではないことを認識し、ノード装置１０４は光スイッチ１６１を用いてリンク３０３とリンク３０４とを接続し、ノード装置１０５は光スイッチ１６１を用いてリンク３０４とリンク３０５とを接続する。
【００６５】
終点のノード装置１０３の制御部１１１６は、シグナリングプロトコルのパケットから自身が光パス３５２の終点となるノード装置であることを認識し、シグナリングプロトコルのパケットのＲＳＶＰオブジェクトの終点ノード装置の光送受信部番号に設定されているネットワーク側光送受信部番号「Ｎｉ」が示すネットワーク側光送受信部１５１−ｉを選択する。そして、制御部１１１６は、シグナリングプロトコルのパケットのＲＳＶＰオブジェクトの可変分散補償器への設定パラメータに設定されているパラメータを用いて、ネットワーク側光送受信部１５１−ｉが有する可変分散補償器を設定する。
【００６６】
光パス３５２に対する光パス設定処理を実行したことにより、リンク３０３，３０４，３０５が使用されて未使用帯域が「０」となる。また、ノード装置１０１およびノード装置１０３のネットワーク側光送受信部１５１−２が使用され、ノード装置１０１およびノード装置１０３のネットワーク側光送受信部１５１−２の分散補償能力も「０」となる。ノード装置１０１，１０４，１０５，１０３の制御部１１１６は、リンク情報テーブル１１１２および分散補償能力情報テーブル１１１３を含む経路情報データベース１１１１を更新する。光パス３５２が設定されたことにより、光ネットワークのルーティング情報が変更されるので、上述した経路情報共有処理が実行され、ノード装置１０１〜１０５のリンク情報テーブル１１１２および分散補償能力情報テーブル１１１３を含む経路情報データベース１１１１が更新される。
【００６７】
以上説明したように、この実施の形態１においては、光パスの起点となるノード装置１０１〜１０５の経路選択部１１１５は、各リンク３０１〜３０７に対応付けて、当該リンクの端点となるノード装置１０１〜１０５を識別するためのノード番号と、当該リンクのコスト、未使用帯域、および分散量が登録されるリンク情報テーブル１１１２に基づいて、終点となるノード装置１０１〜１０５への光パス３５１，３５２を選択するとともに、選択した光パス３５１，３５２の分散量を算出し、算出した分散量と、光ネットワーク内の各ノード装置１０１〜１０５のノード番号および当該ノード番号が示すノード装置１０１〜１０５のネットワーク側光送受信部１５１−１〜１５１−ｉに対応付けて、当該ネットワーク側光送受信部が有する可変分散補償器の分散補償能力が登録される分散補償能力情報テーブル１１１３とに基づいて、起点および終点となるノード装置１０１〜１０５が使用する可変分散補償器を有するネットワーク側光送受信部１５１−１〜１５１−ｉを選択するようにしているため、異なる分散補償能力の可変分散補償器を複数有するノード装置間において光パスを設定する際に、設定する光パスの分散量に応じて、光パスの起点および終点となるノード装置の可変分散補償器を選択することができる。
【００６８】
また、この実施の形態１においては、起点となるノード装置１０１〜１０５のプロトコル処理部１１１４が、光パスの終点となるノード装置に対して、経路選択部１１１５が選択した終点となるノード装置１０１〜１０５のネットワーク側光送受信部１５１−１〜１５１−ｉを示すネットワーク側光送受信部番号を含むシグナリングプロトコルのパケットとして光パス設定要求を通知するようにしているため、終点となるノード装置１０１〜１０５において光パスに用いる可変分散補償器を有するネットワーク側光送受信部１５１−１〜１５１−ｉの選択処理を行なうことなく、設定する光パスの分散量に応じたネットワーク側光送受信部１５１−１〜１５１−ｉを設定することができる。
【００６９】
実施の形態２．
図１０〜図１４を用いてこの発明の実施の形態２を説明する。この実施の形態２のノード装置が適用される光ネットワークの構成は、先の図１に示した実施の形態１の光ネットワークとほぼ同じであるが、ノード装置１０１〜１０５の代わりにノード装置１０１ａ〜１０５ａを備えている。図１０は、この実施の形態２のノード装置１０１ａの構成を示すブロック図である。図１０に示したノード装置１０１ａは、先の図２に示した実施の形態１のノード装置１０１から電気スイッチ１４１が削除され、光パス設定処理部１１１の代わりに光パス設定処理部１１１ａを備えている。すなわち、ノード装置１０１ａは、クライアント側光送受信部１３１−１〜１３１−ｉとネットワーク側光送受信部１５１−１〜１５１−ｉが予め対応付けられている。なお、図２に示した実施の形態１のノード装置１０１と同じ機能を持つ構成部分には同一符号を付し、重複する説明は省略する。
【００７０】
図１０に示したノード装置１０１ａは、クライアント側光送受信部１３１−１〜１３１−ｉとネットワーク側光送受信部１５１−１〜１５１−ｉとを選択接続する電気スイッチが無いため、ルータ２０１を収容するクライアントＩＦを収容するクライアント側光送受信部１３１−１〜１３１−ｉと可変分散補償器を有するネットワーク側光送受信部１５１−１〜１５１−ｉとの対応は固定であるが、ルータ２０１とノード装置１０１ａを分散補償能力が異なる複数のクライアントＩＦに対応するリンク１２１，１２２で接続することで、高価な大容量の電気スイッチを使用することなく、ルータのリンク１２１，１２２を選択することで分散補償能力の使い分けを可能とする構成である。すなわち、ルータ２０１はリンク１２１を経由すると分散量の小さい光パスしか設定できないが、リンク１２２を経由すると分散量が大きい光パスでも設定できる。なお、ノード装置１０１ａは、ノード装置１０１と同様に、光スイッチ１６１および波長多重分離部１７１〜１７２を別装置に分離する構成も可能である。
【００７１】
図１１は、図１０に示したノード装置１０１ａの光パス設定処理部１１１ａの構成を示すブロック図である。図１１に示したパス設定処理部１１１ａは、先の図３に示した実施の形態１のノード装置１０１の光パス設定処理部１１１の経路情報データベース１１１１の分散補償能力情報テーブル１１１３の代わりに、分散補償能力情報テーブル１１１３ａを備えている。図３に示した実施の形態１のノード装置１０１の光パス設定処理部１１１と同じ機能を持つ構成部分には同一符号を付し、重複する説明は省略する。
【００７２】
図１２は、この実施の形態２のノード装置１０１ａの分散補償能力情報テーブル１１１３ａに登録される登録項目を示している。図１２においては、分散補償能力情報テーブル１１１３ａの登録項目として、クライアントＩＦのリンクを識別するためのクライアントＩＦリンク識別子であるリンク番号が登録されるリンク番号と、リンク番号が示すクライアントＩＦリンクによって接続されるルータ２０１，２０２，ノード装置１０１ａ〜１０５ａを示すノード番号が登録されるノード番号１，２と、リンク番号が示すクライアントＩＦリンクのコストが登録されるコストと、リンク番号が示すクライアントＩＦリンクの未使用帯域が登録される未使用帯域と、リンク番号が示すクライアントＩＦリンクが示すリンクの分散量が登録される分散量と、リンク番号が示すクライアントＩＦリンクが示すリンクを収容するクライアント側光送受信部１３１−１〜１３１−ｉに対応するネットワーク側光送受信部１５１−１〜１５１−ｉが有する可変分散補償器の分散補償能力が登録される分散補償能力とが挙げられている。
【００７３】
図１３は、クライアントＩＦのリンク毎の分散補償能力を広告する際に用いられるＯＳＰＦ−ＴＥのＯｐａｑｕｅ  ＬＳＡのフォーマットを示す図である。図１３においては、Ｏｐａｑｕｅ  ｉｎｆｏｒｍａｔｉｏｎとして、リンク番号およびその分散補償能力をそれぞれ３２ビットのフィールドへ符号化している。先の図１２に示した分散補償能力情報テーブル１１１３ａの登録項目のノード番号やコスト、未使用帯域はＯＳＰＦ−ＴＥの標準ルーティング情報でフォーマットが定められているので、これに従うものとする。
【００７４】
つぎに、この実施の形態２の光ネットワークの光パスに応じた分散補償能力の使い分け制御の動作について説明する。基本的な動作は、先の図８に示したフローチャートで説明したように、分散量および分散補償能力定義処理、経路情報共有処理、経路選択処理、および光パス設定処理である。図１４は、光ネットワークの短距離の光パス３５１および長距離の光パス３５２が経由する経路と経路上のノード装置１０１ａ〜１０５ａの光パスに応じた分散補償能力の使い分け制御の説明に必要な構成部分のみを示す図である。図１０〜図１４を参照して、この実施の形態２の各処理の動作を詳細に説明する。なお、図１４においては、図１および図１０に示した構成部分と同一の機能を持つ構成部分には同一符号を付し、ここではその説明を省略する。また、実施の形態１と同じ動作については、詳細な説明は省略する。
【００７５】
まず、分散量および分散補償能力定義処理の詳細な動作を説明する。ノード装置１０１ａ〜１０５ａの設定時や光ネットワークの構成変更時、リンク３０１〜３０７の開通時に、オペレータは、ノード装置１０１ａ〜１０５ａの入力部を用いて、当該ノード装置が端点となるリンクのリンク情報と、ノード装置１０１ａ〜１０５ａのクライアントＩＦのリンク情報とを入力する。ここで、クライアント側ＩＦのリンク情報の分散量は、ルータとノード装置間のリンクが通常局内インタフェースであり両端が電気終端されるので光パスの分散量の計算に加える必要はない。そのため、ノード装置１０１においては、リンク１２１〜１２４の分散量として「０」が入力され、ノード装置１０３においては、リンク１２５，１２６の分散量として「０」が入力される。また、分散補償能力としては、クライアントＩＦに対応するネットワーク側光送受信部１５１−１〜１５１―ｉが有する可変分散補償器が補償可能な最大の分散量を入力する。
【００７６】
ノード装置１０１ａ〜１０５ａの制御部１１１６は、入力部を介して入力されたリンク情報をリンク情報テーブル１１１２に登録し、クライアント側ＩＦのリンク情報を分散補償能力情報テーブル１１１３ａに登録する。
【００７７】
つぎに、経路情報共有処理の詳細な動作について説明する。ノード装置１０１ａ〜１０５ａのプロトコル処理部１１１４は、ＯＰＳＦなどのルーティングプロトコルなどの従来の技術によって規定されたルーティング情報に、分散量および分散補償能力情報を追加することで、ルーティング情報、リンク情報、および分散補償能力情報を広告するとともに、他のノード装置１０１ａ〜１０５ａのルーティング情報、リンク情報、および分散補償能力情報を付加して、ノード装置１０１ａ〜１０５ａの経路情報データベース１１１１に登録する。クライアントＩＦのリンク毎の分散補償能力については、先の図１３に示したＯｐａｑｕｅ  ｉｎｆｏｒｍａｔｉｏｎを用いて広告し、他のノード装置１０１ａ〜１０５ａのルーティング情報、リンク情報、および分散補償能力情報とともに、ノード装置１０１〜１０５の経路情報データベース１１１１に登録する。図１２に示した分散補償能力情報テーブル１１１３ａにおいては、情報Ｌ１１〜Ｌ１４がノード装置１０１から広告された情報であり、情報Ｌ１５，Ｌ１６がノード装置１０３から広告された情報である。
【００７８】
つぎに、経路選択処理の詳細な動作について説明する。自装置を経路選択の起点としてルータ２０１を起点としルータ２０３を終点とする光パスの設定要求を受けると、ノード装置１０１の制御部１１１６は、ノード装置１０３への光パス選択要求を経路選択部１１１５に通知する。経路選択部１１１５は、リンク情報テーブル１１１２を用いてノード装置１０３までの光パスとして、リンクのコストの合計が最低値となる光パス３５１を選択する。ここでは、ノード装置１０１ａ〜ノード装置１０５ａ間のリンク３０１〜３０７のみを対象として光パス３５１を選択する。すなわち、ルータ２０１とノード装置１０１との間のクライアントＩＦのリンク１２１，１２２、およびルータ２０３とノード装置１０３とを間のクライアントＩＦのリンク１２５，１２６は考慮せずに、実施の形態１と同様に光パス３５１を選択する。
【００７９】
経路選択部１１１５は、リンク情報テーブル１１１２に基づいて、選択した光パス３５１の分散量を算出する。経路選択部１１１５は、算出した分散量および分散補償能力情報テーブル１１１３ａとに基づいて、光パス３５１に用いる自装置のクライアントＩＦのリンクおよび終点ノード装置１０３ａのクライアントＩＦのリンクを選択する。具体的には、経路選択部１１１５は、起点となるルータ２０１を収容するリンク１２１，１２２に対応付けて分散補償能力情報テーブル１１１３ａに登録されている分散補償能力の値が、算出した分散量以上であって、かつ最も分散量に近いクライアントＩＦのリンクを選択する。ここでは、光パス３５１の分散量は「６０」であり、リンク１２１を示すリンク番号に対応付けられている分散補償能力が「１００」であり、リンク１２２を示すリンク番号に対応付けられている分散補償能力が「５００」であるので、経路選択部１１１５は、リンク１２１を選択する。
【００８０】
経路選択部１１１５は、自装置のリンク１２１の選択と同様に、終点となるルータ２０３とノード装置１０３とを接続するクライアントＩＦのリンクを選択する。すなわち、終点となるルータ２０３を収容するリンク１２５，１２６に対応付けて分散補償能力情報テーブル１１１３ａに登録されている分散補償能力の値が、算出した分散量以上であって、かつ最も分散量に近いクライアントＩＦのリンクを選択する。ここでは、光パス３５１の分散量は「６０」であり、リンク１２５を示すリンク番号に対応付けられている分散補償能力が「１００」であり、リンク１２６を示すリンク番号に対応付けられている分散補償能力が「５００」であるので、経路選択部１１１５は、リンク１２５を選択する。
【００８１】
経路選択部１１１５は、選択した光パス３５１を構成するリンク１２１，１２５，３０１、３０２のリンク番号と、算出した分散量と、自装置および終点ノード装置１０３のノード装置番号とを含む選択結果を制御部１１１６およびプロトコル処理部１１１４に通知する。
【００８２】
つぎに、光パス設定処理の詳細な動作について説明する。ノード装置１０１の制御部１１１６は、選択結果に基づいて光パス３５１にクライアントＩＦのリンク１２１を設定するとともに、リンク情報テーブル１１１２および分散補償能力情報テーブル１１１３ａを更新する。
【００８３】
一方、プロトコル処理部１１１４は、選択結果を受けると、選択した光パス３５１のリンク３０１、３０２に沿って終点となるノード装置１０３ａへシグナリングプロトコルのパケットを送信し光パス３５１を設定する。このとき、プロトコル処理部１１１４は、先の図７に示したＲＳＶＰオブジェクトのＣＬＡＳＳ−Ｎｕｍの上位２ビットに「１」を設定し、終点ノード装置の光送受信部番号にノード装置１０３がルータ２０３を収容するクライアントＩＦのリンク１２５のリンク番号「１２５」を設定し、可変分散補償器への設定パラメータを設定する。
【００８４】
起点となるノード装置１０１のプロトコル処理部１１１４が送信したシグナリングプロトコルのパケットは、ノード装置１０２およびノード装置１０３に到達し、光パス３５１が設定される。ノード装置１０２の制御部１１１６は、シグナリングプロトコルのパケットから自身が光パス３５１の終点となるノード装置ではないことを認識し、光スイッチ１６１を用いてリンク３０１とリンク３０２とを接続する。
【００８５】
終点のノード装置１０３の制御部１１１６は、シグナリングプロトコルのパケットから自身が光パス３５１の終点となるノード装置であることを認識し、シグナリングプロトコルのパケットのＲＳＶＰオブジェクトの終点ノード装置の光送受信部番号に設定されているリンク番号「１２５」が示すクライアントＩＦのリンク１２５を選択する。そして、制御部１１１６は、シグナリングプロトコルのパケットのＲＳＶＰオブジェクトの可変分散補償器への設定パラメータに設定されているパラメータを用いて、クライアントＩＦのリンク１２５に接続されるネットワーク側光送受信部１５１−１が有する可変分散補償器を設定する。
【００８６】
光パス３５１に対する光パス設定処理を実行したことにより、リンク３０１，３０２が使用されて未使用帯域が「０」となる。また、ノード装置１０１ａおよびノード装置１０３ａのリンク１２１，１２５が使用され、ノード装置１０１ａおよびノード装置１０３ａのリンク１２１，１２５の分散補償能力も「０」となる。ノード装置１０１ａ，１０２ａ，１０３ａの制御部１１１６は、リンク情報テーブル１１１２および分散補償能力情報テーブル１１１３ａを含む経路情報データベース１１１１を更新する。
【００８７】
光パス３５１が設定されたことにより、光ネットワークのルーティング情報が変更されるので、上述した経路情報共有処理が実行され、ノード装置１０１ａ〜１０５ａのリンク情報テーブル１１１２および分散補償能力情報テーブル１１１３ａを含む経路情報データベース１１１１が更新される。
【００８８】
さらに、ルータ２０１からルータ２０３への２本目の光パスを設定する場合、１本目の光パス３５１を設定した場合と同様に、ノード装置１０１ａの制御部１１１６は、ルータ２０３への光パス選択要求を受けて経路選択部１１１５およびプロトコル処理部１１１４に上述した経路選択処理および光パス設定処理を実行させる。
【００８９】
ルータ２０３への２本目の光パス設定時には、ノード装置１０１ａのリンク情報テーブル１１１２のリンク情報Ｌ１およびリンク情報Ｌ２の未使用帯域は「０」となっているので、ノード装置１０１ａの経路選択部１１１５は、光パス３５２を選択して分散量「１５０」を算出する。経路選択部１１１５は、クライアントＩＦのリンクの分散補償能力の値が、算出した分散量「１５０」以上であって、かつ最も分散量「１５０」に近いルータ２０１と自身とを接続するリンク１２２と、終点となるルータ２０３とノード装置１０３とを接続するリンク１２６とを選択し、選択結果を制御部１１１６およびプロトコル処理部１１１４に通知する。
【００９０】
選択結果を受けた制御部１１１６およびプロトコル処理部１１１４は、上述した光パス設定処理を実行する。ノード装置１０１の制御部１１１６は、選択結果に基づいてリンク１２２を収容する自身のネットワーク側光送受信部１５１−２が有する可変分散補償器を設定する。一方、プロトコル処理部１１１４は、選択結果を受けると、選択した光パス３５１のリンク３０１、３０２に沿って終点となるノード装置１０３ａへシグナリングプロトコルのパケットを送信し光パス３５１を設定する。このとき、プロトコル処理部１１１４は、先の図７に示したＲＳＶＰオブジェクトのＣＬＡＳＳ−Ｎｕｍの上位２ビットに「１」を設定し、終点ノード装置の光送受信部番号にノード装置１０３がルータ２０３を収容するクライアントＩＦのリンク１２６のリンク番号「１２６」を設定し、可変分散補償器への設定パラメータを設定する。
【００９１】
起点となるノード装置１０１ａのプロトコル処理部１１１４が送信したシグナリングプロトコルのパケットは、ノード装置１０４ａ、ノード装置１０５ａ、およびノード装置１０３ａに到達し、光パス３５２が設定される。ノード装置１０４ａの制御部１１１６は、シグナリングプロトコルのパケットから自身が光パス３５２の終点となるノード装置ではないことを認識し、光スイッチ１６１を用いてリンク３０３とリンク３０４とを接続する。ノード装置１０５ａの制御部１１１６も、シグナリングプロトコルのパケットから自身が光パス３５２の終点となるノード装置ではないことを認識し、光スイッチ１６１を用いてリンク３０４とリンク３０５とを接続する。
【００９２】
終点のノード装置１０３ａの制御部１１１６は、シグナリングプロトコルのパケットから自身が光パス３５２の終点となるノード装置であることを認識し、シグナリングプロトコルのパケットのＲＳＶＰオブジェクトの終点ノード装置の光送受信部番号に設定されているリンク番号「１２６」が示すクライアントＩＦのリンク１２６を選択する。そして、制御部１１１６は、シグナリングプロトコルのパケットのＲＳＶＰオブジェクトの可変分散補償器への設定パラメータに設定されているパラメータを用いて、クライアントＩＦのリンク１２６に接続されるネットワーク側光送受信部１５１−２が有する可変分散補償器を設定する。
【００９３】
光パス３５２に対する光パス設定処理を実行したことにより、リンク３０３，３０４，３０５が使用されて未使用帯域が「０」となる。また、ノード装置１０１ａおよびノード装置１０３ａのネットワーク側光送受信部１５１−２が使用され、ノード装置１０１ａおよびノード装置１０３ａのネットワーク側光送受信部１５１−２の分散補償能力も「０」となる。ノード装置１０１ａ，１０４ａ，１０５ａ，１０３ａの制御部１１１６は、リンク情報テーブル１１１２および分散補償能力情報テーブル１１１３ａを含む経路情報データベース１１１１を更新する。光パス３５２が設定されたことにより、光ネットワークのルーティング情報が変更されるので、上述した経路情報共有処理が実行され、ノード装置１０１ａ〜１０５ａのリンク情報テーブル１１１２および分散補償能力情報テーブル１１１３ａを含む経路情報データベース１１１１が更新される。
【００９４】
以上説明したように、この実施の形態２においては、光パスの起点となるノード装置１０１ａ〜１０５ａの経路選択部１１１５は、各リンク３０１〜３０７に対応付けて、当該リンクの端点となるノード装置１０１〜１０５を識別するためのノード番号と、当該リンクのコスト、未使用帯域、および分散量が登録されるリンク情報テーブル１１１２に基づいて、終点となるノード装置１０１〜１０５への光パス３５１，３５２を選択するとともに、選択した光パス３５１，３５２の分散量を算出し、算出した分散量と、ルータ２０１〜２０４とノード装置１０１ａ〜１０５ａとを接続するリンク１２１〜１２６に対応付けてリンクを収容するクライアント側光送受信部１３１−１〜１３１−ｉと組となるネットワーク側光送受信部１５１−１〜１５１−ｉが有する可変分散補償器の分散補償能力が登録される分散補償能力情報テーブル１１１３ａとに基づいて、起点および終点となるノード装置１０１〜１０５が使用する可変分散補償器を有するネットワーク側光送受信部１５１−１〜１５１−ｉを選択するようにしているため、クライアント側光送受信部１３１−１〜１３１−ｉとネットワーク側光送受信部１５１−１〜１５１−ｉとの接続を切り替える電気スイッチを備えることなく、クライアント側光送受信部１３１−１〜１３１−ｉとネットワーク側光送受信部１５１−１〜１５１−ｉとの接続が固定されているノード装置においても、設定する光パスの分散量に応じて、光パスの起点および終点となるノード装置の可変分散補償器を選択することができる。
【００９５】
また、この実施の形態１においては、起点となるノード装置１０１ａ〜１０５ａのプロトコル処理部１１１４が、光パスの終点となるノード装置に対して、経路選択部１１１５が選択した終点となるノード装置１０１ａ〜１０５ａのネットワーク側光送受信部１５１−１〜１５１−ｉを示すネットワーク側光送受信部番号を含むシグナリングプロトコルのパケットとして光パス設定要求を通知するようにしているため、終点となるノード装置１０１ａ〜１０５ａにおいて光パスに用いる可変分散補償器を有するネットワーク側光送受信部１５１−１〜１５１−ｉの選択処理を行なうことなく、設定する光パスの分散量に応じたネットワーク側光送受信部１５１−１〜１５１−ｉを設定することができる。
【００９６】
実施の形態３．
先の実施の形態１においては、起点となるノード装置が自身と終点となるノード装置との間の光パスを選択し、選択した光パスの分散量に応じたネットワーク側光送受信部を選択するようにしたが、光ネットワーク内に経路計算サーバを備え、経路計算サーバが光パスを選択するようにしてもよい。
【００９７】
具体的には、光ネットワークの制御プレーン２５１を介してノード装置１０１〜１０５と通信可能であり、ノード装置１０１〜１０５の光パス設定処理部１１１と同様の光パス設定処理部を有する経路計算サーバを光ネットワークに備えておく。ノード装置１０１〜１０５は、経路情報共有処理において、経路計算サーバにもルーティングプロトコルを用いてルーティング情報、リンク情報、分散量および分散補償能力情報を広告し、経路計算サーバも、ノード装置１０１〜１０５と同様のリンク情報が登録されるリンク情報テーブル１１１２、および分散補償能力情報テーブル１１１３を含む経路情報データベース１１１１を共有する。
【００９８】
ノード装置１０１〜１０５の制御部１１１６は、光パス設定要求を受けると、光パス設定通知を制御プレーン２５１を介して経路計算サーバに送信し、経路計算サーバの経路選択部１１１５が経路選択処理を実行し、経路計算サーバのプロトコル処理部１１１４が制御プレーン２５１を介して起点となるノード装置１０１〜１０５に選択結果を通知し、選択結果を受信したノード装置１０１〜１０５のプロトコル処理部１１１４が光パス設定処理を実行する。
【００９９】
以上説明したように、この実施の形態３においては、経路計算サーバが光パスの選択、および選択した光パスの分散量に応じた起点および終点のノード装置１０１〜１０５の可変分散補償器を有するネットワーク側光送受信部１５１−１〜１５１−ｉを選択する経路選択処理を実行することで、光ネットワークに設定される全ての光パスを統括的に管理するようにしているため、同一のリンクやノード装置１０１〜１０５内のネットワーク側光送受信部１５１−１〜１５１−ｉが異なる光パスによって選択されることや、光パス設定のシグナリングの衝突を防止することができる。
【０１００】
なお、この実施の形態３では、先の実施の形態１を例に挙げて説明したが、先の実施の形態２のノード装置１０１ａ〜１０５ａの光パス設定処理部１１１を経路計算サーバに備えることで、クライアントＩＦを収容するクライアント側光送受信部１３１−１〜１３１−ｉと可変分散補償器を有するネットワーク側光送受信部１５１−１〜１５１−ｉとの対応が固定のノード装置１０１ａ〜１０５ａの分散補償能力の使い分けの制御にも適用可能であることはいうまでもない。
【０１０１】
実施の形態４．
先の実施の形態１〜３は、リンクの分散量をリンクを構成する光ファイバの種別と距離、あるいは測定に基づいて定義している。一方、現時点にて分散補償ファイバといった固定の分散補償手段を内蔵し全光での信号転送が可能な固定分散補償ノードを備えた光ネットワークがある。先の実施の形態１〜３のノード装置と固定分散補償ノードの両者を組み合わせたハイブリッド光ネットワークを想定すると、実施の形態１〜３のノード装置を端点ノード装置として固定分散補償ノードを経由する光パスを設定する場合が考えられる。この場合、固定分散補償ノードが提供する分散補償能力を考慮に入れて光パスの分散量を求め、端点ノードの光送受信部の選択へ反映させる必要があるが、実施の形態１〜３の手順におけるルーティング情報の広告には固定分散補償ノードの分散補償能力の情報は含まれておらず、経路情報データベース１１１１にて固定分散補償ノードの分散補償能力の情報が共有されない。そのため、光パス設定時の選択に固定分散補償ノード装置を利用できないという問題が生じる。
【０１０２】
このような問題を改善するために、この実施の形態４は、固定分散補償ノード装置の分散補償能力の情報を含むルーティング情報を広告するものである。
【０１０３】
図１５は、この実施の形態４の固定分散補償ノード装置４０１の構成を示すブロック図である。図１５に示した固定分散補償ノード装置４０１は、先の図１０に示したノード装置１０１ａに、固定の分散補償手段である分散補償ファイバ４１１，４１２と、分散補償ファイバ４１１，４１２において減衰する光信号を増幅する光アンプ４２１，４２２とが追加されている。なお、先の図１０に示したノード装置１０１と同じ機能を持つ構成部分には同一符号を付し、重複する説明は省略する。
【０１０４】
ここで、固定分散補償ノード装置４０１を経由する光パス４３１が設定された場合、分散補償ファイバ４１１，４１２は、ネットワークＩＦ１８１，１８２に接続され、ネットワークＩＦ１８１，１８２が収容するノード装置間のリンクとは逆の光伝送特性を持つので、これらのリンクにおける分散が相殺される。よって、固定分散補償ノード装置４０１が収容する各リンクについて、リンクの分散量はノード装置間リンクの分散量から相殺された分散量を引いた値になる。よって、光パス設定処理部１１１の制御部１１１６は、リンクの分散量から相殺される分散量を引き去った値をリンクの分散量として、プロトコル処理部１１１４に広告させる。具体的には、先の図８に示したフローチャートの経路情報共有処理において、ルーティング情報を広告する際に、図４に示すリンク情報テーブル１１１２のリンク情報の分散量については、固定分散補償ノードが収容する各リンクの分散量として、当該リンクの分散量から固定分散補償ノード装置４０１の分散補償ファイバ４１１，４１２により相殺される分散量を引き去った値を広告する。これにより、固定分散補償ノードによる分散補償能力を考慮したリンクの分散量が各ノード装置のリンク情報テーブル１１１２に登録され、経路選択処理によって選択される光パスは、光パス上の固定分散補償ノード装置４０１による分散補償能力が考慮されたものとなる。
【０１０５】
以上説明したように、この実施の形態４においては、固定分散補償ノード装置４０１のプロトコル処理部１１１４が、自装置が収容するリンクの分散量から固定の分散補償手段によって相殺されるリンクの分散量を差し引いたリンクの分散量を算出し、算出したリンクの分散量を含むリンク情報を広告するようにしている。この固定分散補償ノード装置４０１と先の実施の形態１または２のノード装置１０１〜１０５，１０１ａ〜１０５ａと組み合わせたハイブリッド光ネットワークを構成すれば、固定分散補償ノード装置４０１が提供する分散補償能力を考慮した光パスの分散量に応じて、光パスの起点および終点となるノード装置の可変分散補償器を選択することができる。
【０１０６】
実施の形態５．
先の実施の形態１〜４においては、ノード装置１０１〜１０５，１０１ａ〜１０５ａのネットワーク側光送受信部１５１−１〜１５１−ｉの分散補償能力として、ネットワーク側光送受信部１５１−１〜１５１−ｉが有する可変分散補償器が補償可能な最大の分散補償値を広告したが、様々な可変分散補償技術が研究され技術によって可変分散補償が適用可能な波長範囲などのパラメータが異なることが想定される。そのため、分散補償能力として広告する情報に補償可能な波長範囲、補償可能な最小の波長間隔、可変分散補償器の設定に要する時間などを追加して拡充し、分散補償能力が異なる複数の可変分散補償器を有するネットワーク側光送受信部１５１−１〜１５１−ｉを選択するようにすることも可能である。
【０１０７】
具体的には、先の図８に示したフローチャートの経路情報共有処理において、ノード装置毎あるいはルータとノード装置間のリンク毎の広告情報の分散処理能力のフィールドを、広告する情報の情報量に応じて拡張し、補償可能な波長範囲、補償可能な最小の波長間隔、可変分散補償器の設定に要する時間などの分散補償能力に関する詳細な情報を広告し、これらの情報に関する登録項目を分散補償能力情報テーブル１１１３，１１１３ａに追加して登録する。そして、先の図８に示したフローチャートの経路選択処理において、補償可能な波長範囲、補償可能な最小の波長間隔、可変分散補償器の設定に要する時間を含めてネットワーク側光送受信部１５１−１〜１５１−ｉを選択する。
【０１０８】
このように、この実施の形態５においては、プロトコル処理部１１１４が、自装置が備える可変分散補償器の分散補償能力の波長範囲、最小の波長間隔、当該可変分散補償器の設定に要する時間の少なくとも１つをさらに含めた分散補償能力情報を広告するようにしているため、可変分散補償器の分散補償能力の波長範囲、最小の波長間隔、当該可変分散補償器の設定に要する時間を考慮して、適切な可変補償器を有するネットワーク側光送受信部１５１−１〜１５１−ｉを選択することができる。
【０１０９】
実施の形態６．
先の実施の形態１〜５においては、リンクの分散量およびノード装置１０１〜１０５，１０１ａ〜１０５ａが内蔵するネットワーク側光送受信部１５１−１〜１５１−ｉが有する可変分散補償器の分散補償能力をルーティングプロトコルによって広告するようにしたが、分散量に加えて各種の光伝送の劣化要因、たとえば、高次分散や偏波分散に起因するリンク毎の劣化量と、それらの劣化要因についてノード装置１０１〜１０５，１０１ａ〜１０５ａが内蔵するネットワーク側光送受信部１５１−１〜１５１−ｉが有する可変分散補償器の分散補償能力を表すパラメータを広告するようにしてもよい。
【０１１０】
具体的には、先の図８に示した経路情報共有処理において、分散量の広告と同様に、先の図１３に示したＯＳＰＦ−ＴＥのＯｐａｑｕｅ  ＬＳＡのＯｐａｑｕｅ  ｉｎｆｏｒｍａｔｉｏｎに、リンク番号、高次分散や偏波分散に起因するリンク毎の劣化量、それらの劣化要因についてノード装置１０１〜１０５，１０１ａ〜１０５ａが内蔵するネットワーク側光送受信部１５１−１〜１５１−ｉが有する可変分散補償器の分散補償能力を表すパラメータを組として設定して広告し、これらの情報に関する登録項目をリンク情報テーブル１１１２および分散補償能力情報テーブル１１１３、１１１３ａに追加して登録する。
【０１１１】
そして、先の図８に示したフローチャートの経路選択処理において、経路選択部１１１５は、選択した光パスにおける各種劣化要因の劣化量をリンク情報テーブル１１１２に基づいて算出し、算出した光パスの劣化量を考慮しておよび分散補償能力情報テーブル１１１３、１１１３ａを参照しつつ光パスの端点ノード装置が内蔵するネットワーク側光送受信部１５１−１〜１５１−ｉおよび当該ネットワーク側光送受信部が有する可変分散補償器の設定パラメータを選択し、光パス設定処理によって、選択した終点となるノード装置１０１〜１０５，１０１ａ〜１０５ａのネットワーク側光送受信部１５１−１〜１５１−ｉの情報を起点となるノード装置１０１〜１０５，１０１ａ〜１０５ａから終点となるノード装置１０１〜１０５，１０１ａ〜１０５ａに対してシグナリングプロトコルによって伝達する。
【０１１２】
このように、この実施の形態６においては、プロトコル処理部１１１４が、リンクの高次分散または偏波分散に起因するリンク毎の劣化量と、当該リンクの劣化量に対して自装置が有する可変分散補償器の分散補償能力を表すパラメータとをさらに含めたリンク情報、分散補償能力情報を広告するようにしているため、光パスの経路選択時に各種の光伝送劣化要因について適切な可変補償器を有するネットワーク側光送受信部１５１−１〜１５１−ｉを選択することができる。
【産業上の利用可能性】
【０１１３】
以上のように、本発明にかかる光ネットワークは、異なる分散補償器を有するネットワーク側光送受信部を複数備える複数のノード装置を用いた場合に有用であり、特に、分散補償器として最大分散補償能力の異なる可変分散補償器を備えたノード装置を用いる場合に適している。
【図面の簡単な説明】
【０１１４】
【図１】この発明における実施の形態１の光ネットワークの構成の一例を示す図である。
【図２】図１に示したノード装置の構成を示すブロック図である。
【図３】図２に示した光パス設定処理部の構成を示すブロック図である。
【図４】図３に示したリンク情報テーブルの構成を示す図である。
【図５】図３に示した分散補償能力情報テーブルの構成を示す図である。
【図６】ノード装置が用いるＯｐａｑｕｅ  ＬＳＡのフォーマットを示す図である。
【図７】ノード装置が用いるＰＡＴＨメッセージのＲＳＶＰオブジェクトを示す図である。
【図８】この発明における実施の形態１の光ネットワークの動作を説明するためのフローチャートである。
【図９】この発明における実施の形態１の光ネットワークの光パス設定を説明するための図である。
【図１０】この発明における実施の形態２のノード装置の構成を示すブロック図である。
【図１１】図１０に示したノード装置の光パス設定処理部の構成を示すブロック図である。
【図１２】図１０に示した分散補償能力情報テーブルの構成を示す図である。
【図１３】ノード装置が用いるＯｐａｑｕｅ  ＬＳＡのフォーマットを示す図である。
【図１４】この発明における実施の形態２の光ネットワークの光パス設定を説明するための図である。
【図１５】この発明における実施の形態４の固定分散補償ノード装置の構成を示すブロック図である。
【図１６】従来の光ネットワークの構成を示す図である。
【符号の説明】
【０１１５】
１０１，１０２，１０３，１０４，１０５，１０１ａ，１０２ａ，１０３ａ，１０４ａ，１０５ａ  ノード装置
１１１，１１１ａ  光パス設定処理部
１２１，１２２，１２３，１２４  リンク
１３１−１，１３１−２，１３１−ｉ−１，１３１−ｉ  クライアント側光送受信部
１４１  電気スイッチ
１５１−１，１５１−２，１５１−ｉ−１，１５１−ｉ  ネットワーク側光送受信部
１６１  光スイッチ
１７１，１７２  波長多重分離部
１８１，１８２  ネットワークＩＦ
１９１  制御インタフェース
２０１，２０２，２０３，２０４  ルータ
２５１  制御プレーン
３０１，３０２，３０３，３０４，３０５，３０６，３０７  リンク
３５１，３５２  光パス
４０１  固定分散補償ノード装置
４１１，４１２  分散補償ファイバ
４２１，４２２  光アンプ
１１１１  経路情報データベース
１１１２  リンク情報テーブル
１１１３，１１１３ａ  分散補償能力情報テーブル
１１１４  プロトコル処理部
１１１５  経路選択部
１１１６  制御部
【図１】
0004695990.tif 000002
【図２】
0004695990.tif 000003
【図３】
0004695990.tif 000004
【図４】
0004695990.tif 000005
【図５】
0004695990.tif 000006
【図６】
0004695990.tif 000007
【図７】
0004695990.tif 000008
【図８】
0004695990.tif 000009
【図９】
0004695990.tif 000010
【図１０】
0004695990.tif 000011
【図１１】
0004695990.tif 000012
【図１２】
0004695990.tif 000013
【図１３】
0004695990.tif 000014
【図１４】
0004695990.tif 000015
【図１５】
0004695990.tif 000016
【図１６】
0004695990.tif 000017